(57)【要約】【課題】例えば、遮断器および開閉器といった開閉装置等の電力設備を構成する主要機器の運転・動作状態を監視する監視装置の増設または新設に必要な労力および経費の低減を図った電力設備監視装置およびその監視方法を提供する。【解決手段】電力設備監視装置２０は、監視対象２１の入／切状態判別基本情報として電圧を測定する電圧測定手段２２と、アナログ信号をデジタル信号に変換するＡ／Ｄ変換手段２３と、入力された情報に基づき演算処理して結果を表示する演算処理手段２４とを具備し、監視対象２１の入／切状態の切替と連動して動作する接点部２７および監視対象２１の入／切状態を示す表示灯２８を備える表示灯回路２９と、電力設備監視装置２０とをコネクタ３０で電気的に接続して、監視対象２１の入／切状態の切替と連動して変化する電圧信号を検知し取得した後、演算処理して表示手段３７に表示することで監視対象２１の入／切状態を遠隔で監視可能に構成する。【選択図】  図１
2004229356.tif 000002
【特許請求の範囲】
【請求項１】
電気供給の入り切りを行う電力設備の入り切りの切替操作に連動して接点を切り替える接点部と、この接点部の接点切替により前記電力設備の入り切り状態を表示する表示部とを備え、前記表示部を介して前記電力設備の入り切り状態を判別する入り切り状態判別基本情報を取得してアナログ信号として出力する入り切り状態判別情報取得手段と、
この入り切り状態判別情報取得手段から出力されるアナログ信号をデジタル信号に変換するＡ／Ｄ変換手段と、
このＡ／Ｄ変換手段から出力されたデジタル信号を演算処理して前記電力設備の入り切り状態を表示する演算処理手段とを具備することを特徴とする電力設備監視装置。
【請求項２】
前記入り切り状態判別情報取得手段は、前記表示部を介して前記電力設備の入り切り状態を判別する入り切り状態判別基本情報として、前記表示部の端子電圧を測定して取得する電圧測定手段であることを特徴とする請求項１記載の電力設備監視装置。
【請求項３】
前記入り切り状態判別情報取得手段は、前記表示部を介して前記電力設備の入り切り状態を判別する入り切り状態判別基本情報として、前記表示部を通電する電流を測定して取得する電流測定手段であることを特徴とする請求項１記載の電力設備監視装置。
【請求項４】
前記入り切り状態判別情報取得手段は、前記表示部を介して前記電力設備の入り切り状態を判別する入り切り状態判別基本情報として、前記表示部の抵抗値を取得する抵抗値算出情報取得手段であることを特徴とする請求項１記載の電力設備監視装置。
【請求項５】
前記入り切り状態判別情報取得手段は、前記表示部に取り付けて前記表示部から前記電力設備の入り切り状態を判別する入り切り状態判別基本情報を取得してアナログ信号として出力することを特徴とする請求項１に記載の電力設備監視装置。
【請求項６】
前記入り切り状態判別情報取得手段は、前記電力設備の入り切り状態を判別する入り切り状態判別基本情報として前記表示部から光を取得して電流に変換する光−電流変換手段および前記表示部から熱を取得して電流に変換する熱−電流変換手段の少なくとも一方と、
前記光−電流変換手段および前記熱−電流変換手段の少なくとも一方で変換されて生じた電流を測定して取得する電流測定手段とを備えることを特徴とする請求項５記載の電力設備監視装置。
【請求項７】
電気供給の入り切りを行う電力設備の入り切りの切替操作に連動して接点を切り替える接点部と、この接点部の接点切替により前記電力設備の入り切り状態を表示する入り切り状態表示手段に取り付けられ制御したタイミングで発光する発光制御手段と、
前記入り切り状態表示手段が表示する前記電力設備の入り切り状態を判別する入り切り状態判別基本情報として、前記発光制御手段が発光して前記入り切り状態表示手段で反射した光を取得して光−電流変換する光−電流変換手段と、
この光−電流変換手段から出力された電流を測定し取得してアナログ電流信号を出力する電流測定手段と、
前記アナログ電流信号をデジタル電流信号に変換するＡ／Ｄ変換手段と、
このＡ／Ｄ変換手段から出力されたデジタル電流信号を演算処理して前記電力設備の入り切り状態を表示する演算処理手段とを具備することを特徴とする電力設備監視装置。
【請求項８】
電気供給の入り切りを行う電力設備の入り切りの切替操作を行う切替操作手段から前記電力設備の入り切り状態を検出する入り切り状態検出手段と、
この入り切り状態検出手段で検出した前記電力設備の入り切り状態に基づき入り切り状態判別信号を出力する入り切り状態判別手段と、
この入り切り状態判別手段から出力された入り切り状態判別信号を演算処理して前記電力設備の入り切り状態を表示する演算処理手段とを具備し、
前記切替操作手段は、前記電力設備の入り切りの切替操作を行う操作器と、前記電力設備の入り切りの切替操作に伴い可動盤が可動して前記電力設備の入り切り状態を表示する入り切り状態表示部とを備え、前記入り切り状態検出手段は、前記入り切り状態表示部から前記電力設備の入り切り状態を取得することを特徴とする電力設備監視装置。
【請求項９】
前記入り切り状態検出手段は、前記可動盤の位置を接触するか否かで探知する探知部と、この探知部を固定して保持する固定台座とを備え、前記探知部が前記電力設備の入り切りの切替に伴う前記可動盤の可動に応じて前記可動盤と接離するように前記切替操作手段の本体に取り付け固定されることを特徴とする請求項８記載の電力設備監視装置。
【請求項１０】
前記入り切り状態検出手段は、流体リレーであり、この流体リレーは、前記可動盤面上に取り付け固定され、前記電力設備の入り切りの切替に伴う前記可動盤の可動に応じて前記流体リレーに設けられた２つの接点の導通状態の変化を検出することで、前記電力設備の入り切り状態を検出することを特徴とする請求項８記載の電力設備監視装置。
【請求項１１】
前記入り切り状態検出手段は、磁気を発する磁気発生部と、この磁気発生部から発せられる磁気を検出して磁気−電気変換をする磁気−電気変換部とを備え、前記磁気発生部は前記可動盤面上に、前記磁気−電気変換部は前記磁気発生部が発する磁気を検出可能な位置に取り付け固定して、前記電力設備の入り切りの切替に伴う前記可動盤の可動に応じて前記磁気−電気変換部で変換される電圧値の違いを検出することで、前記電力設備の入り切り状態を検出することを特徴とする請求項８記載の電力設備監視装置。
【請求項１２】
監視対象となる電気設備が、電気供給の入り切りを行う開閉機器を備え、この開閉機器の入り切り状態によってのみで前記開閉機器以降の電力供給有無を決定できる場合において、
前記電力設備が備える各開閉機器の後段の位置に取り付けられ、対地電圧および線間電圧の少なくとも一方を測定することで、電圧の有無を検出し、前記開閉機器の入り切り状態を判別する入り切り状態判別基本情報として取得する電圧測定手段と、
前記電圧測定手段から出力されるアナログ電圧信号をデジタル電圧信号に変換するＡ／Ｄ変換手段と、
このＡ／Ｄ変換手段から出力されたデジタル電圧信号を演算処理して前記開閉機器の入り切り状態を表示する演算処理手段とを具備することを特徴とする電力設備監視装置。
【請求項１３】
電気供給の入り切りを行う電力設備の入り切り状態を遠隔監視するため、前記電力設備の入り切り状態を取得可能な入り切り状態判別情報取得手段と前記電力設備とを接続する電力設備監視準備ステップと、
前記入り切り状態判別情報取得手段で前記電力設備の入り切り状態判別基本情報を取得する電力設備運転・動作状態取得ステップと、
この電力設備運転・動作状態取得ステップで取得した前記電力設備の入り切り状態判別基本情報を演算処理手段で演算処理して表示手段に表示する電力設備運転・動作状態表示ステップとを具備することを特徴とする電力設備監視方法。
【請求項１４】
前記電力設備監視準備ステップは、前記入り切り状態判別情報取得手段と表示部とを電気的に接続するステップであり、
前記電力設備運転・動作状態取得ステップは、表示部の端子電圧を測定して取得する電圧測定ステップおよび前記表示部を通電する電流を測定して取得する電流測定ステップの少なくとも一方であることを特徴とする請求項１３記載の電力設備監視方法。
【請求項１５】
前記電力設備監視準備ステップは、前記入り切り状態判別情報取得手段が備える光−電流変換手段および前記熱−電流変換手段の少なくとも一方を表示部に取り付けるステップであり、
前記電力設備運転・動作状態取得ステップは、前記光−電流変換手段から電流を取得する光−電流変換ステップおよび前記熱−電流変換手段から電流を取得する熱−電流変換ステップの少なくとも一方と、前記光−電流変換ステップおよび熱−電流変換ステップの少なくとも一方で取得した電流を測定して取得する電流測定ステップとを備えることを特徴とする請求項１３記載の電力設備監視方法。
【請求項１６】
前記電力設備監視準備ステップは、前記入り切り状態判別情報取得手段が備える光−電流変換手段および制御したタイミングで発光する発光制御手段を入り切り状態表示手段に取り付けるステップであり、
前記電力設備運転・動作状態取得ステップは、前記発光制御手段を発光制御する発光制御ステップと、
前記入り切り状態表示手段で反射した反射光を前記光−電流変換手段で光−電流変換する光−電流変換ステップと、
前記光−電流変換ステップで変換された電流を測定して取得する電流測定ステップとを備えることを特徴とする請求項１３記載の電力設備監視方法。
【請求項１７】
前記電力設備監視準備ステップは、入り切り状態検出手段を前記電力設備の切替操作手段に取り付ける入り切り状態検出手段取り付けステップであり、
前記電力設備運転・動作状態取得ステップは、前記電力設備の入り切り状態を入り切り状態検出手段で検出する入り切り状態検出ステップと、この入り切り状態検出ステップで検出した前記電力設備の入り切り状態が入か切かを判別する入り切り状態判別ステップとを備えることを特徴とする請求項１３記載の電力設備監視方法。
【請求項１８】
前記入り切り状態検出手段取り付けステップは、前記切替操作手段に備えられる入り切り状態表示部の可動盤の可動に応じて、前記可動盤と前記入り切り状態検出手段が備える探知部とが接離するように、前記切替操作手段の面上に前記入り切り状態検出手段が備える固定台座を取り付け固定するステップであり、
前記入り切り状態検出ステップは、前記入り切り状態検出手段で前記可動盤と前記探知部とが接触しているか否かの接触状態を検出するステップであり、
前記入り切り状態判別ステップは、前記入り切り状態検出ステップで検出した前記可動盤と前記探知部との接触状態を判別することで、前記電力設備の入り切り状態が入りか切りかを判別するステップであることを特徴とする請求項１７記載の電力設備監視方法。
【請求項１９】
前記入り切り状態検出手段取り付けステップは、流体リレーを前記切替操作手段に備えられる入り切り状態表示部の可動盤の可動に応じて前記流体リレーに設けられる２つの接点間の導通状態が切り替わるように前記可動盤の面上に取り付け固定するステップであり、
前記入り切り状態検出ステップは、前記入り切り状態検出手段で前記可動盤と前記探知部とが接触しているか否かの接触状態を検出するステップであり、
前記入り切り状態判別ステップは、前記入り切り状態検出ステップで検出した前記可動盤と前記探知部との接触状態を判別することで、前記電力設備の入り切り状態が入りか切りかを判別するステップであることを特徴とする請求項１７記載の電力設備監視方法。
【請求項２０】
前記入り切り状態検出手段取り付けステップは、前記入り切り状態検出手段が備える磁気発生部を前記切替操作手段に備えられる入り切り状態表示部の可動盤の面上に、
前記入り切り状態検出手段が備える磁気−電気変換部を前記磁気発生部が発する磁気を検出可能な位置に取り付け固定するステップであり、
前記入り切り状態検出ステップは、前記磁気発生部が発する磁力を前記磁気−電気変換部で検出し磁気−電気変換して生成される電気信号に基づいて前記可動盤の表示が入りか切りかを検出するステップであり、
前記入り切り状態判別ステップは、前記入り切り状態検出ステップで検出した前記可動盤の表示が入りか切りかを判別することで、前記電力設備の入り切り状態が入りか切りかを判別するステップであることを特徴とする請求項１７記載の電力設備監視方法。
【請求項２１】
電気供給の入り切りを行う開閉機器を備えた電気設備であり、前記開閉機器の入り切り状態によってのみで前記開閉機器以降の電力供給有無を決定できる監視対象において適用し、
前記電力設備監視準備ステップは、対地電圧および線間電圧の少なくとも一方を測定可能なように前記電気設備が備える各開閉機器の後段の位置に取り付けるステップであり、
電力設備運転・動作状態取得ステップは、開閉機器後段の位置に取り付けられ、対地電圧および線間電圧の少なくとも一方を測定することで、電圧の有無を検出する電圧測定ステップであることを特徴とする請求項１３記載の電力設備監視方法。
【発明の詳細な説明】
【０００１】
【発明の属する技術分野】
本発明は、電力設備の運転・動作状態を監視する監視装置およびその監視方法に係り、特に、遮断器および断路器等の開閉器の動作状態（入／切）を監視する電力設備監視装置およびその監視方法に関する。
【０００２】
【従来の技術】
従来、電力設備に備えられる遮断器および断路器等の開閉機器の動作状態の監視は、開閉機器の動作状態と連動して接点を切り替える接点部を設け、この接点情報を監視することでなされるのが一般的である。
【０００３】
図２３に従来の電力設備監視装置の一例として、開閉機器の監視装置のブロック構成図を示す。
【０００４】
図２３に示される開閉機器の監視装置（以下、監視装置とする）１は、監視対象である開閉機器が三相交流回路内に設けられる遮断器であり、遮断器の投入（入）および引外し（切）の動作状態を監視する装置である。
【０００５】
監視装置１には、投入または引外し指令信号のいずれかの指令信号が入力される。遮断器を投入状態（入）にする際は、動作接点２Ａ，２Ｂ，２Ｃが閉じて投入コイル３Ａ，３Ｂ，３Ｃを流れる電流を投入指令信号として投入側変流器（以下、投入側ＣＴとする）４Ａ，４Ｂ，４Ｃで検出する。そして、投入側ＣＴ４Ａ，４Ｂ，４Ｃで検出された電流が監視装置１に入力される。
【０００６】
一方、遮断器を引出し状態（切）にする際は、動作接点５Ａ，５Ｂ，５Ｃが閉じて引出しコイル６Ａ，６Ｂ，６Ｃを流れる電流を引出し指令信号として引出し側変流器（以下、引出し側ＣＴとする）７Ａ，７Ｂ，７Ｃで検出する。そして、引出し側ＣＴ７Ａ，７Ｂ，７Ｃで検出された電流が監視装置１に入力される。
【０００７】
また、監視装置１には、遮断器の開閉動作と連動して接点を切り替えることで、遮断器の開閉状態を検出する接点部８Ａ，８Ｂ，８Ｃからの電流も動作状態検出信号として入力される。
【０００８】
接点部８Ａ，８Ｂ，８Ｃの構成概略について説明する。図２３には、代表として接点部８Ａのみが詳細に図示されている。しかし、接点部８Ｂ，８Ｃの構成についても接点部８Ａの構成と本質的に同じであるため、接点部８Ｂ，８Ｃについては、図２３においてその説明を省略する。
【０００９】
接点部８Ａは、投入状態（入）で導通する第１の接点９Ａと引出し状態（切）で導通する第２の接点１０Ａとを備えており、遮断器の開閉動作と連動して第１の接点９Ａと第２の接点１０Ａとが切り替わるように構成される。また、接点部８Ｂ，８Ｃについても、接点部８Ａと同様に構成される。
【００１０】
監視装置１は、入力される投入または引出しの指令信号と、遮断器の開閉動作と連動する接点部８Ａ，８Ｂ，８Ｃで検出されるの動作状態検出信号とを監視することで、遮断器の監視を行っている。
【００１１】
上述した開閉機器の監視装置の一例は、特開平１０−１３０８５９号公報に掲載されている（例えば、特許文献１参照）。
【００１２】
【特許文献１】
特開平１０−１３０８５９号公報（［０００１］，［００１４］〜［００００２６］，［図１］）
【００１３】
【発明が解決しようとする課題】
電力設備を構成する遮断器および断路器等の開閉器は、一般に電力供給の重要構成機器であり、高電圧機器である。従来の監視装置およびその監視方法を適用し、例えば、監視装置の増設等の必要が生じた場合は、開閉器の動作状態、すなわち、投入または引出し状態にあるかを取得するための補助接点数を増加する必要がある。
【００１４】
しかし、補助接点の増設は、当該電力設備を停電させた上で電力設備の主回路機器の改造工事が必要となる。このため、設備停止に係る長期間の電力供給計画の作成、工事工程調整、停電と多大な労力を要する。また、停電作業による電力供給制約の発生による生産活動の制約、停止を余儀なくされる。従って、監視装置の増設等に必要な経費は多大となる問題があった。
【００１５】
一方、監視装置側にてリレー増幅等の方法によって必要な接点数を増設する方法もあるが、この場合においても、複雑な回路構成を有する監視装置の改造工事は緻密な事前調査と改造作業が必要となる。従って、主回路機器の停電を必要とする場合に匹敵する労力と工事費用が必要となる問題があった。
【００１６】
また、主回路機器側および監視装置側で改造工事が労力および費用的に可能な場合でも、対象電力設備および対象監視装置の製作年代等によっては、代替供給を含む部品供給ができずに、改造工事が不可能なこともあり得る。つまり、主回路機器側および監視装置側の少なくとも一方の接点を増加する改造工事では、監視装置の増設は実現不可能となる。
【００１７】
主回路機器側および監視装置側の少なくとも一方の接点を増加する改造工事で対応できない場合は、主回路機器側および監視装置側の少なくとも一方を新規設備に交換せざるを得ないので、さらに大規模工事が必要となる問題があった。
【００１８】
上述した問題、すなわち、労力増大を含めて工事費用が多大となる問題は、監視装置の増設が必要となった際における実現上の阻害要因となっている。また、近年その必要性が急速に増大しつつある、パソコンおよびネットワーク等のＩＴ技術を応用した電力設備の運転状態の監視および生産機器管理の自動化、省力化を阻害する要因ともなっている。
【００１９】
本発明は、上述した事情を考慮してなされたもので、例えば、遮断器および開閉器といった開閉装置等の電力設備を構成する主要機器の運転・動作状態を監視する監視装置の増設に必要な労力および経費の低減を図った電力設備監視装置およびその監視方法を提供することを目的とする。
【００２０】
また、その他の目的は、監視装置の増設時のみならず、新設時においても必要な労力および経費の低減を図った電力設備監視装置およびその監視方法を提供することにある。
【００２１】
さらに、その他の目的は、監視装置増設等の工事に必要な労力および経費の低減を図り、近年その必要性が急速に増大しつつある、パソコンおよびネットワーク等のＩＴ技術を応用した電力設備の運転状態の監視並びに生産機器管理の自動化および省力化を促進する一助とすることにある。
【００２２】
【課題を解決するための手段】
本発明に係る電力設備監視装置は、上述した課題を解決するため、請求項１に記載されるように、電気供給の入り切りを行う電力設備の入り切りの切替操作に連動して接点を切り替える接点部と、この接点部の接点切替により前記電力設備の入り切り状態を表示する表示部とを備え、前記表示部を介して前記電力設備の入り切り状態を判別する入り切り状態判別基本情報を取得してアナログ信号として出力する入り切り状態判別情報取得手段と、この入り切り状態判別情報取得手段から出力されるアナログ信号をデジタル信号に変換するＡ／Ｄ変換手段と、このＡ／Ｄ変換手段から出力されたデジタル信号を演算処理して前記電力設備の入り切り状態を表示する演算処理手段とを具備することを特徴とする。
【００２３】
上述した課題を解決するため、本発明に係る電力設備監視装置は、請求項２に記載されるように、前記入り切り状態判別情報取得手段が、前記表示部を介して前記電力設備の入り切り状態を判別する入り切り状態判別基本情報として、前記表示灯の端子電圧を測定して取得する電圧測定手段であることを特徴とする。
【００２４】
また、上述した課題を解決するため、本発明に係る電力設備監視装置は、請求項３に記載されるように、前記入り切り状態判別情報取得手段が、前記表示部を介して前記電力設備の入り切り状態を判別する入り切り状態判別基本情報として、前記表示灯を通電する電流を測定して取得する電流測定手段であることを特徴とする。
【００２５】
さらに、上述した課題を解決するため、本発明に係る電力設備監視装置は、請求項４に記載されるように、前記入り切り状態判別情報取得手段が、前記表示部を介して前記電力設備の入り切り状態を判別する入り切り状態判別基本情報として、前記表示灯の抵抗値を取得する抵抗値算出情報取得手段であることを特徴とする。
【００２６】
さらにまた、上述した課題を解決するため、本発明に係る電力設備監視装置は、請求項５に記載されるように、前記入り切り状態判別情報取得手段は、前記表示部に取り付けて前記表示部から前記電力設備の入り切り状態を判別する入り切り状態判別基本情報を取得してアナログ信号として出力することを特徴とする。
【００２７】
一方、上述した課題を解決するため、本発明に係る電力設備監視装置は、請求項６に記載されるように、前記入り切り状態判別情報取得手段は、前記電力設備の入り切り状態を判別する入り切り状態判別基本情報として前記表示部から光を取得して電流に変換する光−電流変換手段および前記表示部から熱を取得して電流に変換する熱−電流変換手段の少なくとも一方と、前記光−電流変換手段および前記熱−電流変換手段の少なくとも一方で変換されて生じた電流を測定して取得する電流測定手段とを備えることを特徴とする。
【００２８】
本発明に係る電力設備監視装置は、上述した課題を解決するため、請求項７に記載されるように、電気供給の入り切りを行う電力設備の入り切りの切替操作に連動して接点を切り替える接点部と、この接点部の接点切替により前記電力設備の入り切り状態を表示する入り切り状態表示手段に取り付けられ制御したタイミングで発光する発光制御手段と、前記入り切り状態表示手段が表示する前記電力設備の入り切り状態を判別する入り切り状態判別基本情報として、前記発光制御手段が発光して前記入り切り状態表示手段で反射した光を取得して光−電流変換する光−電流変換手段と、この光−電流変換手段から出力された電流を測定し取得してアナログ電流信号を出力する電流測定手段と、前記アナログ電流信号をデジタル電流信号に変換するＡ／Ｄ変換手段と、このＡ／Ｄ変換手段から出力されたデジタル電流信号を演算処理して前記電力設備の入り切り状態を表示する演算処理手段とを具備することを特徴とする。
【００２９】
本発明に係る電力設備監視装置は、上述した課題を解決するため、請求項８に記載されるように、電気供給の入り切りを行う電力設備の入り切りの切替操作を行う切替操作手段から前記電力設備の入り切り状態を検出する入り切り状態検出手段と、この入り切り状態検出手段で検出した前記電力設備の入り切り状態に基づき入り切り状態判別信号を出力する入り切り状態判別手段と、この入り切り状態判別手段から出力された入り切り状態判別信号を演算処理して前記電力設備の入り切り状態を表示する演算処理手段とを具備し、前記切替操作手段は、前記電力設備の入り切りの切替操作を行う操作器と、前記電力設備の入り切りの切替操作に伴い可動盤が可動して前記電力設備の入り切り状態を表示する入り切り状態表示部とを備え、前記入り切り状態検出手段は、前記入り切り状態表示部から前記電力設備の入り切り状態を取得することを特徴とする。
【００３０】
また、上述した課題を解決するため、本発明に係る電力設備監視装置は、請求項９に記載されるように、前記入り切り状態検出手段は、前記可動盤の位置を接触するか否かで探知する探知部と、この探知部を固定して保持する固定台座とを備え、前記探知部が前記電力設備の入り切りの切替に伴う前記可動盤の可動に応じて前記可動盤と接離するように前記切替操作手段の本体に取り付け固定されることを特徴とする。
【００３１】
さらに、上述した課題を解決するため、本発明に係る電力設備監視装置は、請求項１０に記載されるように、前記入り切り状態検出手段は、流体リレーであり、この流体リレーは、前記可動盤面上に取り付け固定され、前記電力設備の入り切りの切替に伴う前記可動盤の可動に応じて前記流体リレーに設けられた２つの接点の導通状態の変化を検出することで、前記電力設備の入り切り状態を検出することを特徴とする。
【００３２】
さらにまた、上述した課題を解決するため、本発明に係る電力設備監視装置は、請求項１１に記載されるように、前記入り切り状態検出手段は、磁気を発する磁気発生部と、この磁気発生部から発せられる磁気を検出して磁気−電気変換をする磁気−電気変換部とを備え、前記磁気発生部は前記可動盤面上に、前記磁気−電気変換部は前記磁気発生部が発する磁気を検出可能な位置に取り付け固定して、前記電力設備の入り切りの切替に伴う前記可動盤の可動に応じて前記磁気−電気変換部で変換される電圧値の違いを検出することで、前記電力設備の入り切り状態を検出することを特徴とする。
【００３３】
本発明に係る電力設備監視装置は、上述した課題を解決するため、請求項１２に記載されるように、監視対象となる電気設備が、電気供給の入り切りを行う開閉機器を備え、この開閉機器の入り切り状態によってのみで前記開閉機器以降の電力供給有無を決定できる場合において、前記電力設備が備える各開閉機器の後段の位置に取り付けられ、対地電圧および線間電圧の少なくとも一方を測定することで、電圧の有無を検出し、前記開閉機器の入り切り状態を判別する入り切り状態判別基本情報として取得する電圧測定手段と、前記電圧測定手段から出力されるアナログ電圧信号をデジタル電圧信号に変換するＡ／Ｄ変換手段と、このＡ／Ｄ変換手段から出力されたデジタル電圧信号を演算処理して前記開閉機器の入り切り状態を表示する演算処理手段とを具備することを特徴とする。
【００３４】
本発明に係る電力設備監視方法は、上述した課題を解決するため、請求項１３に記載されるように、電気供給の入り切りを行う電力設備の入り切り状態を遠隔監視するため、前記電力設備の入り切り状態を取得可能な入り切り状態判別情報取得手段と前記電力設備とを接続する電力設備監視準備ステップと、前記入り切り状態判別情報取得手段で前記電力設備の入り切り状態判別基本情報を取得する電力設備運転・動作状態取得ステップと、この電力設備運転・動作状態取得ステップで取得した前記電力設備の入り切り状態判別基本情報を演算処理手段で演算処理して表示手段に表示する電力設備運転・動作状態表示ステップとを具備することを特徴とする。
【００３５】
上述した課題を解決するため、本発明に係る電力設備監視方法は、請求項１４に記載されるように、前記電力設備監視準備ステップは、前記入り切り状態判別情報取得手段と表示灯回路とを電気的に接続するステップであり、前記電力設備運転・動作状態取得ステップは、表示灯の端子電圧を測定して取得する電圧測定ステップおよび前記表示灯を通電する電流を測定して取得する電流測定ステップの少なくとも一方であることを特徴とする。
【００３６】
また、上述した課題を解決するため、本発明に係る電力設備監視方法は、請求項１５に記載されるように、前記電力設備監視準備ステップは、前記入り切り状態判別情報取得手段が備える光−電流変換手段および前記熱−電流変換手段の少なくとも一方を表示部に取り付けるステップであり、前記電力設備運転・動作状態取得ステップは、前記光−電流変換手段から電流を取得する光−電流変換ステップおよび前記熱−電流変換手段から電流を取得する熱−電流変換ステップの少なくとも一方と、前記光−電流変換ステップおよび熱−電流変換ステップの少なくとも一方で取得した電流を測定して取得する電流測定ステップとを備えることを特徴とする。
【００３７】
さらに、上述した課題を解決するため、本発明に係る電力設備監視方法は、請求項１６に記載されるように、前記電力設備監視準備ステップは、前記入り切り状態判別情報取得手段が備える光−電流変換手段および制御したタイミングで発光する発光制御手段を入り切り状態表示手段に取り付けるステップであり、前記電力設備運転・動作状態取得ステップは、前記発光制御手段を発光制御する発光制御ステップと、前記入り切り状態表示手段で反射した反射光を前記光−電流変換手段で光−電流変換する光−電流変換ステップと、前記光−電流変換ステップで変換された電流を測定して取得する電流測定ステップとを備えることを特徴とする。
【００３８】
さらにまた、上述した課題を解決するため、本発明に係る電力設備監視方法は、請求項１７に記載されるように、前記電力設備監視準備ステップは、入り切り状態検出手段を前記電力設備の切替操作手段に取り付ける入り切り状態検出手段取り付けステップであり、前記電力設備運転・動作状態取得ステップは、前記電力設備の入り切り状態を入り切り状態検出手段で検出する入り切り状態検出ステップと、この入り切り状態検出ステップで検出した前記電力設備の入り切り状態が入か切かを判別する入り切り状態判別ステップとを備えることを特徴とする。
【００３９】
一方、上述した課題を解決するため、本発明に係る電力設備監視方法は、請求項１８に記載されるように、前記入り切り状態検出手段取り付けステップは、前記切替操作手段に備えられる入り切り状態表示部の可動盤の可動に応じて、前記可動盤と前記入り切り状態検出手段が備える探知部とが接離するように、前記切替操作手段の面上に前記入り切り状態検出手段が備える固定台座を取り付け固定するステップであり、前記入り切り状態検出ステップは、前記入り切り状態検出手段で前記可動盤と前記探知部とが接触しているか否かの接触状態を検出するステップであり、前記入り切り状態判別ステップは、前記入り切り状態検出ステップで検出した前記可動盤と前記探知部との接触状態を判別することで、前記電力設備の入り切り状態が入りか切りかを判別するステップであることを特徴とする。
【００４０】
また、上述した課題を解決するため、本発明に係る電力設備監視方法は、請求項１９に記載されるように、前記入り切り状態検出手段取り付けステップは、流体リレーを前記切替操作手段に備えられる入り切り状態表示部の可動盤の可動に応じて前記流体リレーに設けられる２つの接点間の導通状態が切り替わるように前記可動盤の面上に取り付け固定するステップであり、前記入り切り状態検出ステップは、前記入り切り状態検出手段で前記可動盤と前記探知部とが接触しているか否かの接触状態を検出するステップであり、前記入り切り状態判別ステップは、前記入り切り状態検出ステップで検出した前記可動盤と前記探知部との接触状態を判別することで、前記電力設備の入り切り状態が入りか切りかを判別するステップであることを特徴とする。
【００４１】
さらに、上述した課題を解決するため、本発明に係る電力設備監視方法は、請求項２０に記載されるように、前記入り切り状態検出手段取り付けステップは、前記入り切り状態検出手段が備える磁気発生部を前記切替操作手段に備えられる入り切り状態表示部の可動盤の面上に、前記入り切り状態検出手段が備える磁気−電気変換部を前記磁気発生部が発する磁気を検出可能な位置に取り付け固定するステップであり、前記入り切り状態検出ステップは、前記磁気発生部が発する磁力を前記磁気−電気変換部で検出し磁気−電気変換して生成される電気信号に基づいて前記可動盤の表示が入りか切りかを検出するステップであり、前記入り切り状態判別ステップは、前記入り切り状態検出ステップで検出した前記可動盤の表示が入りか切りかを判別することで、前記電力設備の入り切り状態が入りか切りかを判別するステップであることを特徴とする。
【００４２】
さらにまた、上述した課題を解決するため、本発明に係る電力設備監視方法は、請求項２１に記載されるように、電気供給の入り切りを行う開閉機器を備えた電気設備であり、前記開閉機器の入り切り状態によってのみで前記開閉機器以降の電力供給有無を決定できる監視対象において適用し、前記電力設備監視準備ステップは、対地電圧および線間電圧の少なくとも一方を測定可能なように前記電気設備が備える各開閉機器の後段の位置に取り付けるステップであり、電力設備運転・動作状態取得ステップは、開閉機器後段の位置に取り付けられ、対地電圧および線間電圧の少なくとも一方を測定することで、電圧の有無を検出する電圧測定ステップであることを特徴とする。
【００４３】
【発明の実施の形態】
以下に、本発明に係る電力設備監視装置およびその監視方法について図面を参照して説明する。
【００４４】
［第１の実施形態］
図１に本発明の第１実施形態に係る電力設備監視装置２０の一例を監視対象である電力設備（以下、監視対象とする）２１に適用する際における接続状態の概略を示した概略図を示す。ここでは、遮断器、断路器などの開閉器を電力設備と称している。
【００４５】
図１に示される電力設備監視装置２０は、監視対象２１により電気供給が行われているか否かを示す入り切り状態（以下、入／切状態と簡略して記す）判別基本情報として電圧測定を行う入／切状態判別情報取得手段としての電圧測定手段２２と、アナログ信号をデジタル信号に変換するアナログ−デジタル変換（以下、Ａ／Ｄ変換とする）手段２３と、入力された情報に基づき演算処理して結果を表示する演算処理手段２４とを具備する。
【００４６】
電力設備監視装置２０は、監視対象２１と、監視対象２１の運転・動作状態、すなわち、入／切状態の切替と連動して動作する接点部２７と監視対象２１の運転・動作状態を示す表示部としての表示灯２８とを備える電力設備監視用表示灯回路（以下、表示灯回路とする）２９とを電気的に接続して、監視対象２１の運転・動作状態の切替と連動する電圧信号を検知し取得することで監視対象２１の運転・動作状態を遠隔で監視する。
【００４７】
電力設備監視装置２０に具備される電圧測定手段２２は、測定したい電圧をコネクタ３０で電気的に接続して２点間の電圧を測定する。また、電圧測定手段２２は、例えば、３チャンネル等の複数個の測定チャンネルを有し、複数箇所の電圧を測定することができる。Ａ／Ｄ変換手段２３は、電圧測定手段２２で取得したアナログ電圧信号をＡ／Ｄ変換して、デジタル電圧信号に変換して出力する。演算処理手段２４には、Ａ／Ｄ変換手段２３でＡ／Ｄ変換して出力されたデジタル電圧信号が入力される。
【００４８】
演算処理手段２４は、外部機器とのインターフェースであるインターフェース部（以下、Ｉ／Ｆ部とする）３１と、データ等を記録する記録手段３２と、演算処理を行うプロセッサ３３と、演算処理用のメモリ３５と、電力設備監視装置２０の監視者（以下、監視者とする）が演算処理手段２４に操作入力する入力手段３６と、プロセッサ３３の演算処理結果を表示する表示手段３７とを備える。
【００４９】
また、演算処理手段２４は、Ａ／Ｄ変換手段２３から出力されたデジタル電圧信号を演算処理して、監視対象２１内の断路器または遮断器等の開閉機器の動作状態（入／切状態）を表示手段３７に表示する監視プログラム３８を記録手段３２に備える。
【００５０】
図２に監視対象２１および接点部２７の一例を示し、監視対象２１と接点部２７との関係を説明する説明図を示す。
【００５１】
図２に示される監視対象２１は、断路器（Ｄｉｓｃｏｎｅｃｔｉｎｇ  Ｓｗｉｔｃｈ：ＤＳ）および遮断器（Ｃｉｒｃｕｉｔ  Ｂｒｅａｋｅｒ：ＣＢ）等の開閉機器であり、例えば、２つの断路器（第１の断路器４１および第２の断路器４２）と、１つの遮断器４３とを備える。尚、図２およびその他の図において、第１の断路器４１、第２の断路器４２および遮断器４３は、ＤＳ１、ＤＳ２およびＣＢと簡略して図示する。
【００５２】
接点部２７は、監視対象２１の各々、すなわち、第１の断路器４１、第２の断路器４２および遮断器４３と連動して接点を切り替える。第１の断路器４１には、第１の断路器４１の投入／引出し動作（入／切）と連動して動作する第１の断路器用接点（以下、ＤＳ１接点とする）４５を備える。また、第１の遮断器４１と同様にして、第２の断路器４２および遮断器４３にも、第２の断路器４２および遮断器４３の投入／引出し動作（入／切）と連動して動作する第２の断路器用接点（以下、ＤＳ２接点とする）４６および遮断器用接点（以下、ＣＢ接点とする）４７を備える。
【００５３】
ＤＳ１接点４５は、２つの接点を備え、一方は、第１の断路器４１が引出し（切）状態においては、接点が開放状態で電気的に接続されず、第１の断路器４１が投入（入）状態で接点が短絡状態となり電気的に接続するＤＳ１メイク接点４９である。他方は、第１の断路器４１が投入（入）状態においては、接点が開放状態で電気的に接続されず、第１の断路器４１が引出し（切）状態で接点が短絡状態になり電気的に接続するＤＳ１ブレイク接点５０である。
【００５４】
ＤＳ１接点４５と同様にして、ＤＳ２接点４６は、ＤＳ２メイク接点５１およびＤＳ２ブレイク接点５２の２つの接点を、ＣＢ接点４７は、ＣＢメイク接点５３およびＣＢブレイク接点５４の２つの接点を備える。
【００５５】
図３に監視対象２１を監視する電力系統用監視盤（以下、監視盤とする）５７の正面図を示す。
【００５６】
監視盤５７には、監視対象２１である第１の断路器４１等の動作状態を示す表示灯２８が取り付けられている。表示灯２８は、第１の断路器４１の動作状態（入／切）を表示する第１の断路器用表示灯（以下、ＤＳ１表示灯とする）５９と、第２の断路器４２の動作状態（入／切）を表示する第２の断路器用表示灯（以下、ＤＳ２表示灯とする）６０と、遮断器４３の動作状態（入／切）を表示する遮断器用表示灯（以下、ＣＢ表示灯）６１とを備える。
【００５７】
図３に示される監視盤５７の表面には、表示灯２８が取り付けられており、上からＤＳ１表示灯５９、ＣＢ表示灯６１、ＤＳ２表示灯６０が取り付けられる。ＤＳ１表示灯５９は、動作状態を視覚的に示すため、第１の断路器４１が引出し（切）状態で点灯する緑灯（以下、ＤＳ１緑灯とする）６３および投入状態で点灯する赤灯（以下、ＤＳ１赤灯とする）６４を備える。
【００５８】
また、ＣＢ表示灯６１およびＤＳ２表示灯６０についても、ＤＳ１表示灯５９と同様に、動作状態を視覚的に示すための緑灯および赤灯を備え、ＤＳ２表示灯６０は、ＤＳ２緑灯６５およびＤＳ２赤灯６６を、ＣＢ表示灯６１は、ＣＢ緑灯６７およびＣＢ赤灯６８を備える。尚、監視盤５７の表面に取り付けられる表示灯２８の順番は、上からＤＳ１表示灯５９、ＣＢ表示灯６１、ＤＳ２表示灯６０としているが、ＤＳ１表示灯５９、ＣＢ表示灯６１およびＤＳ２表示灯６０の配置位置は、あくまでも一実施例であり、図示した形態に限られない。
【００５９】
図４に表示灯回路２９と電力設備監視装置２０との電気的な接続状態を説明する説明図を示す。
【００６０】
尚、図４において、ＤＳ１接点４５とＤＳ１表示灯５９とを電気的に直列接続して構成される回路（以下、ＤＳ１系統とする）７０と、ＤＳ２接点４６とＤＳ２表示灯６０とを電気的に直列接続して構成される回路（以下、ＤＳ２系統とする）７１と、ＣＢ接点４７とＣＢ表示灯６１とを電気的に直列接続して構成される回路（以下、ＣＢ系統とする）７２とは同様のものであるため、ＤＳ１系統７０についてのみ代表して図示し、その他のＤＳ２系統７１およびＣＢ系統７２については簡略して図示している。
【００６１】
図４に示される表示灯回路２９は、正極側電源ライン７３と負極側電源ライン７４との間においてＤＳ１系統７０、ＤＳ２系統７１およびＣＢ系統７２が電気的に並列に接続される。
【００６２】
ＤＳ１系統７０に着目して説明すると、正極側電源ライン７３と負極側電源ライン７４との間において電気的に接続されるＤＳ１接点４５およびＤＳ１表示灯５９は、正極側電源ライン７３側から見て、正極側電源ライン７３、ＤＳ１接点４５、ＤＳ１表示灯５９、正極側電源ライン７４の順に接続される。また、ＤＳ１接点４５とＤＳ１表示灯５９との電気的な接続は、ＤＳ１接点４５に備えられるＤＳ１メイク接点４９と、ＤＳ１表示灯５９に備えられるＤＳ１赤灯６４とが電気的に接続される。一方、ＤＳ１接点４５に備えられるＤＳ１ブレイク接点５０は、ＤＳ１表示灯５９に備えられるＤＳ１緑灯６３と電気的に接続される。
【００６３】
従って、ＤＳ１系統７０において、第１の断路器４１が投入状態（入）にある時は、ＤＳ１メイク接点４９が電気的に短絡し、ＤＳ１ブレイク接点５０が電気的に開放する。すなわち、ＤＳ１メイク接点４９では電流が導通し、ＤＳ１ブレイク接点５０では電流が遮断されるので、ＤＳ１メイク接点４９と接続されるＤＳ１赤灯６４は点灯し、ＤＳ１ブレイク接点５０と接続されるＤＳ１緑灯６３は点灯しない。
【００６４】
一方、第１の断路器４１が引出し状態（切）にある時は、ＤＳ１ブレイク接点５０が電気的に短絡し、ＤＳ１メイク接点４９が電気的に開放する。すなわち、ＤＳ１ブレイク接点５０では電流が導通し、ＤＳ１メイク接点４９では電流が遮断されるので、ＤＳ１ブレイク接点５０と接続されるＤＳ１緑灯６３は点灯し、ＤＳ１メイク接点４９と接続されるＤＳ１赤灯６４は点灯しない。
【００６５】
ＤＳ１系統７０と同様にして、ＤＳ２系統７１およびＣＢ系統７２についても、正極側電源ライン７３と負極側電源ライン７４との間に電気的に接続される。すなわち、ＤＳ２系統７１についての説明は、ＤＳ１系統７０に対する説明に対して、ＤＳ１をＤＳ２と読み替えれば良く、ＣＢ系統７２についての説明は、ＤＳ１系統７０に対する説明に対して、ＤＳ１をＣＢと読み替えれば良い。
【００６６】
具体的には、ＤＳ２系統７１では、正極側電源ライン７３側から見て、正極側電源ライン７３、ＤＳ２接点４６、ＤＳ２表示灯６０、正極側電源ライン７４の順に接続され、ＤＳ２接点４６とＤＳ２表示灯６０との電気的な接続は、ＤＳ２接点４６に備えられるＤＳ２メイク接点５１と、ＤＳ２表示灯６０に備えられるＤＳ２赤灯６６とが電気的に接続される。一方、ＤＳ２接点４６に備えられるＤＳ２ブレイク接点５２は、ＤＳ２表示灯６０に備えられるＤＳ２緑灯６５と電気的に接続される。
【００６７】
一方、ＣＢ系統７２では、正極側電源ライン７３側から見て、正極側電源ライン７３、ＣＢ接点４７、ＣＢ表示灯６２、正極側電源ライン７４の順に接続され、ＣＢ接点４７とＣＢ表示灯６２との電気的な接続は、ＣＢ接点４７に備えられるＣＢメイク接点５３と、ＣＢ表示灯６２に備えられるＣＢ赤灯６８とが電気的に接続される。一方、ＣＢ接点４７に備えられるＣＢブレイク接点５４は、ＣＢ表示灯６２に備えられるＣＢ緑灯６７と電気的に接続される。
【００６８】
第２の断路器４２が投入状態（入）にある時は、ＤＳ２メイク接点５１と接続されるＤＳ２赤灯６６は点灯し、ＤＳ２ブレイク接点５２と接続されるＤＳ１緑灯６５は点灯しない。また、第２の断路器４２が引出し状態（切）にある時は、ＤＳ２ブレイク接点５２と接続されるＤＳ２緑灯６５は点灯し、ＤＳ２メイク接点５１と接続されるＤＳ２赤灯６６は点灯しない。
【００６９】
一方、遮断器４３が投入状態（入）にある時は、ＣＢメイク接点５３と接続されるＣＢ赤灯６８は点灯し、ＣＢブレイク接点５４と接続されるＤＳ１緑灯６７は点灯しない。また、遮断器４３が引出し状態（切）にある時は、ＣＢブレイク接点５４と接続されるＣＢ緑灯６７は点灯し、ＣＢメイク接点５３と接続されるＣＢ赤灯６８は点灯しない。
【００７０】
図５に図３に示される監視盤５７のＩ−Ｉ線に沿う側面図を示し、電力設備監視装置２０と表示灯回路２９との電気的に接続を説明する説明図である。
【００７１】
図５に示される監視盤５７のＩ−Ｉ線に沿う側面図によれば、監視盤５７の背面には、ＤＳ１表示灯５９、ＣＢ表示灯６１およびＤＳ２表示灯６０に、ＤＳ１表示灯５９、ＣＢ表示灯６１およびＤＳ２表示灯６０を点灯させる配線（以下、表示灯ラインとする）７５が接続される。尚、図５に示される表示灯ライン７５とは、図４に示される正極側電源ライン７３と負極側電源ライン７４との間を接点部２７および表示灯２８を介して接続されるラインに相当する。
【００７２】
また、ＤＳ１表示灯５９、ＤＳ２表示灯６０およびＣＢ表示灯６１のＤＳ１表示灯端子部６７、ＤＳ２表示灯端子部７８およびＣＢ表示灯端子部７９には、コネクタ３０の一端が接続され、電力設備監視装置２０が具備する電圧測定手段２２と電気的に接続される。
【００７３】
コネクタ３０は、一端が電力設備監視装置２０が具備する電圧測定手段２２と電気的に接続可能な接続端子（図示せず）であり、他端が表示灯２８の端子部のうち少なくとも１つと着脱自在な取付手段８２である。コネクタ３０の接続端子と取付手段８２との間は、両者を導通可能に接続するコネクト導体８３を介して電気的に接続される。
【００７４】
取付手段８２は、例えば、ワニ口クリップであり、２対の導体を遠近自在に可動させて、対象物を挟んだり放したりする作用部８５と、作用部８５を遠近自在に可動させるための外力を加える把持部８６とを備え、把持部８６は絶縁体グリップ８７で被覆されている。また、取付手段８２の導体部分にはコネクト導体８３が接合されており、コネクタ３０を導通可能に構成している。
【００７５】
コネクタ３０の取付手段８２によれば、把持部８６が絶縁体グリップ８７で被覆されていることから、表示灯２８が通電状態にあっても、表示灯２８が通電状態のまま、ＤＳ１表示灯端子部７７、ＤＳ２表示灯端子部７８およびＣＢ表示灯端子部７９に取り付けることが可能となる。
【００７６】
尚、図５においては、各緑灯および赤灯を簡略して示してあり、ＤＳ１緑灯６３、ＤＳ２緑灯６５およびＣＢ緑灯６７の各緑灯をＧと、ＤＳ１赤灯６３、ＤＳ２赤灯６５およびＣＢ赤灯６７の各赤灯をＲと図示している。また、コネクタ３０については、ＤＳ１表示灯５９、ＤＳ２表示灯６０およびＣＢ表示灯６１いずれも同様なため、ＤＳ１表示灯５９と接続するコネクタ３０を代表して図示している。
【００７７】
電力設備監視装置２０でなされる電力設備（監視対象）２１の監視方法について説明する。
【００７８】
まず、図２に示される監視対象２１、すなわち、第１の断路器４１、第２の断路器４２および遮断器４３を備える電力設備を遠隔で監視する場合は、監視対象２１内の断路器または遮断器等の開閉機器の投入／引出し動作（入／切）状態を遠隔で監視する準備作業として電力設備監視準備ステップを行う。
【００７９】
電力設備監視準備ステップは、表示灯回路２９における表示灯２８の各端子部、すなわち、ＤＳ１端子部７７、ＤＳ２端子部７８およびＣＢ端子部７９にコネクタ３０の取付手段８２を接続するステップである。電力設備監視準備ステップは、監視者、電力設備の監督責任者、またはその他関係者が一般的に行う。
【００８０】
電力設備監視準備ステップをもう少し具体的に説明すると、例えば、第１の断路器４１の投入／引出し動作（入／切）状態を遠隔監視する場合は、第１の断路器４１の投入／引出し動作（入／切）状態を表示するＤＳ１表示灯５９の端子部、すなわち、ＤＳ１緑灯６３の端子部（以下、ＤＳ１緑灯端子部とする）およびＤＳ１赤灯６４の端子部（以下、ＤＳ１赤灯端子部とする）７７Ｒにコネクタ３０の取付手段８２を接続する。
【００８１】
電力設備監視装置２０が第２の断路器４２および遮断器４３についても遠隔監視する場合には、第１の断路器４１に対して行ったコネクタ３０の取付手段８２の取付作業を第２の断路器４２および遮断器４３についても同様にして行う。すなわち、第２の断路器４２の投入／引出し動作（入／切）状態を遠隔監視する場合は、ＤＳ２緑灯端子部およびＤＳ２赤灯端子部７８Ｒにコネクタ３０の取付手段８２を接続し、遮断器４３の投入／引出し動作（入／切）状態を遠隔監視する場合は、ＣＢ緑灯端子部およびＣＢ赤灯端子部７９Ｒにコネクタ３０の取付手段８２を接続する。
【００８２】
電力設備監視準備ステップが完了したら次は、監視対象２１の入／切状態、すなわち、第１の断路器４１、第２の断路器４２および遮断器４３の投入／引出し状態（入／切）を判別して入／切状態判別基本情報を取得する電力設備運転・動作状態取得ステップを行う。電力設備運転・動作状態取得ステップは、電力監視装置２０においては、電圧測定手段２２がコネクタ３０が接続される２点間の電圧を測定して、測定した電圧を電力設備運転・動作状態信号（アナログ電圧信号）としてＡ／Ｄ変換手段２３へ伝送する電圧測定ステップである。
【００８３】
電圧測定ステップを行うことで、監視対象２１の入／切状態、すなわち、第１の断路器４１、第２の断路器４２および遮断器４３の投入／引出し状態（入／切）を判別する入／切状態判別基本情報としての電圧が、電圧測定手段２２で測定され取得される。そして、電圧測定手段２２は、電力設備運転・動作状態信号としてのアナログ電圧信号をＡ／Ｄ変換手段２３へ伝送する。
【００８４】
尚、電圧測定ステップは、監視プログラム３８によって予め設定したスケジュール（例えば、所定間隔）に応じて電圧を測定して取得しても良いし、監視者が手動で入力操作してその都度行っても良い。また、電圧を測定しアナログ電圧信号をＡ／Ｄ変換手段２３へ伝送するタイミングは、監視者が欲しいタイミングでアナログ電圧信号を取得できれば、どのようなタイミングであっても良い。
【００８５】
電力設備運転・動作状態取得ステップに続いては、伝送された電圧信号をＡ／Ｄ変換手段２３でＡ／Ｄ変換したデジタル電圧信号に基づいて演算処理し、監視対象２１の運転・動作状態（入／切）を表示手段３７に表示する電力設備入／切表示ステップ（以下、入／切表示ステップとする）を行う。
【００８６】
入／切表示ステップは、電圧測定手段２２で取得されＡ／Ｄ変換手段２３に伝送されたアナログ電圧信号をＡ／Ｄ変換手段２３でＡ／Ｄ変換するＡ／Ｄ変換処理ステップと、演算処理手段２４に入力されるデジタル電圧信号に基づいてプロセッサ３３が演算処理して監視対象２１の運転・動作状態（入／切）を判別して表示手段３７に表示する電力設備運転・動作状態表示ステップとを備える。
【００８７】
入／切表示ステップでは、まず、Ａ／Ｄ変換手段２３でＡ／Ｄ変換処理ステップが行われ、Ａ／Ｄ変換手段２３に入力されたアナログ電圧信号をＡ／Ｄ変換し、出力する。次に、演算処理手段２４で電力設備運転・動作状態表示ステップが行われ、プロセッサ３３が監視プログラム３８を実行して、演算処理手段２４に入力されるＡ／Ｄ変換後のデジタル電圧信号を演算処理し、表示手段３７に監視対象２１の運転・動作状態（入／切）を表示する。
【００８８】
本実施形態に係る電力設備監視装置２０およびその監視方法によれば、監視対象２１の運転・動作状態の切替と連動して動作する接点部２７と表示灯２８とを備える表示灯回路２９にコネクタ３０を介して電力設備監視装置２０と電気的に接続する作業を行い、コネクタ３０から取得した電圧を監視対象２１の運転・動作状態（入／切）を示す信号として電力設備監視装置２０に入力し演算処理することで、監視対象２１の運転・動作状態（入／切）の遠隔監視が可能となる。
【００８９】
従って、監視対象２１となる電気設備を改造する工事または新規電力設備に取り替えに伴う設備撤去および新設工事が不要となり、電力設備監視装置２０およびその監視方法を導入する際の費用を大幅に低減できる。
【００９０】
また、表示灯回路２９にコネクタ３０を電気的に接続する作業は、コネクタ３０がワニ口クリップ等の取付手段８２を有するため、監視対象２１となる電力設備を停電することなく電力設備監視装置２０を設置することができる。さらに、高圧工事が不要となることから設置工事を行う際の作業員の安全性を従来よりもさらに向上させることができる。
【００９１】
さらにまた、本実施形態に係る電力設備監視装置２０およびその監視方法によれば、導入する際の費用が大幅に低減されることから、電力設備監視の自動化、省力化のためにＩＴ化を促進する費用的余裕が生まれ、ＩＴ化促進の効果が派生的に期待できる。
【００９２】
尚、電力設備監視装置２０に具備されるＡ／Ｄ変換手段２３は、電圧測定手段２２または演算処理手段２４に備えても良い。また、コネクタ３０の取付手段８２にはワニ口クリップが適用されているが、取付手段８２はワニ口クリップに限らず、例えば、先開圧着端子でも良い。すなわち、取付手段８２は、表示灯２８の各端子部７７，７８，７９に直接触れて感電することなく電気的に接続可能な全ての取付手段を包含する。
【００９３】
また、コネクタ３０と表示灯２８の各端子部７７，７８，７９との接続は、表示灯２８の緑灯および赤灯の両者、すなわち、ＤＳ１表示灯５９においては、ＤＳ１緑灯６３およびＤＳ１赤灯６４、ＤＳ２表示灯６０においては、ＤＳ２緑灯６５およびＤＳ２赤灯６６、ＣＢ表示灯６１においてはＣＢ緑灯６７およびＣＢ赤灯６８と接続してアナログ電圧信号を取得しているが、表示灯２８の緑灯および赤灯の両者のうち緑灯または赤灯の一方を接続する構成としても良い。
【００９４】
［第２の実施形態］
図６に本発明の第２の実施形態に係る電力設備監視装置２０Ａの一例を監視対象２１に適用する際における接続状態の概略を示した概略図を示す。
【００９５】
図６に示される電力設備監視装置２０Ａは、図１に示される電力設備監視装置２０に対して、電圧測定手段２２の代わりに電流測定手段８９を備える点と、コネクタ３０の代わりにコネクタ３０Ａを用いて表示灯回路２９との接続を行う点が異なる点以外は基本的に異ならないので、電力設備監視装置２０と異ならない箇所は同じ符号を付して説明を省略する。
【００９６】
図６に示される電力設備監視装置２０Ａは、監視対象２１の表示灯回路２９から監視対象２１の入／切状態判別基本情報として電流を測定する入／切状態判別情報取得手段としての電流測定手段８９と、Ａ／Ｄ変換手段２３と、演算処理手段２４とを具備する。また、電力設備監視装置２０Ａに具備される電流測定手段８９と監視対象２１の表示灯回路２９とはコネクタ３０Ａにより電気的に接続されているため、電力設備監視装置２０Ａは、監視対象２１の入／切状態を取得でき、監視対象２１の遠隔監視を可能としている。
【００９７】
図６に示されるコネクタ３０Ａは、一端が電流測定手段８９との接続を行う接続端子（図示せず）であり、他端が表示灯回路２９における表示灯ライン７５に取り付けられ、表示灯ライン７５を導通する電流を検知して取得する計器用変流器（Ｃｕｒｒｅｎｔ  Ｔｒａｎｓｆｏｒｍｅｒ：ＣＴ）９２である。そして、コネクタ３０Ａの接続端子および計器用変流器９２は、コネクト導体８３を介して電気的に接続される。
【００９８】
電力設備監視装置２０Ａでなされる電力設備（監視対象）２１の監視方法について説明する。
【００９９】
まず、監視対象２１を遠隔で監視する準備作業として電力設備監視準備ステップを行う。電力設備監視準備ステップでは、表示灯回路２９におけるＤＳ１緑灯６３およびＤＳ１赤灯６４（ＤＳ１表示灯５９）、ＤＳ２緑灯６５およびＤＳ２赤灯６６（ＤＳ２表示灯６０）およびＣＢ緑灯６７およびＣＢ赤灯６８（ＣＢ表示灯６１）を通電する電流を検出し取得する計器用変流器９２を取り付けるコネクタ取付作業を行う。
【０１００】
図７は、図３に示される監視盤５７のＩ−Ｉ線に沿う側面図を示し、電力設備監視装置２０Ａおよびその監視方法を適用した場合における電力設備監視装置２０Ａと表示灯回路２９との電気的に接続を説明する説明図である。
【０１０１】
図７に示されるように計器用変流器９２は、監視盤５７の背面にある表示灯ライン７５に取り付けられる。図７は側面図のため、赤灯のみ（ＤＳ１赤灯６４、ＤＳ２赤灯６６およびＣＢ赤灯６８）が表示灯ライン７５に取り付けられた様子を示しているが、その他の表示灯（ＤＳ１緑灯６３、ＤＳ２緑灯６５およびＣＢ緑灯６７）を通電する電流を検出し取得する計器用変流器９２についても同様にして表示灯ライン７５に取り付けられる。
【０１０２】
電力設備監視準備ステップを行うことにより、ＤＳ１表示灯５９、ＤＳ２表示灯６０およびＣＢ表示灯６１を通電する電流を計器用変流器９２で検出し取得して、取得した電流を監視対象２１の入／切状態判別基本情報としてコネクタ３０Ａを介して電力設備監視装置２０Ａに伝送することが可能となる。尚、計器用変流器９２の取付作業は、監視対象２１となる電力設備を停電することなく実施できる。
【０１０３】
電力設備監視準備ステップが完了したら次は、ＤＳ１表示灯５９、ＤＳ２表示灯６０およびＣＢ表示灯６１を通電する電流を検知して測定することで入／切状態判別基本情報を取得する電力設備運転・動作状態取得ステップとしての電流測定ステップを行う。電流測定ステップは、計器用変流器９２で検出した電流を電流測定手段８９でアナログ電流信号として出力し、電流測定手段８９から出力されたアナログ電流信号をＡ／Ｄ変換手段２３へ伝送するステップである。
【０１０４】
尚、電流測定ステップは、監視プログラム３８によって予め設定したスケジュール（例えば、所定間隔）に応じて電流を検出して取得するようにしても良いし、監視者が入力手段３６から手動で入力操作してその都度行っても良い。また、電流を検出しアナログ電流信号をＡ／Ｄ変換手段２３へ伝送するタイミングは、監視者が欲しいタイミングでアナログ電流信号を取得できれば、どのようなタイミングでも良い。
【０１０５】
電流測定ステップに続いては、伝送された電流信号をＡ／Ｄ変換手段２３でＡ／Ｄ変換したデジタル電流信号を演算処理手段２４で演算処理し、監視対象２１の運転・動作状態（入／切）を表示手段３７に表示する入／切表示ステップを行う。入／切表示ステップは、電流測定手段８９で取得されＡ／Ｄ変換手段２３に伝送されたアナログ電流信号をＡ／Ｄ変換手段２３でＡ／Ｄ変換するＡ／Ｄ変換処理ステップと、演算処理手段２４に入力されるデジタル電流信号に基づいてプロセッサ３３が演算処理して監視対象２１の運転・動作状態（入／切）を表示手段３７に表示する電力設備運転・動作状態表示ステップとを備える。
【０１０６】
入／切表示ステップでは、まず、Ａ／Ｄ変換手段２３でＡ／Ｄ変換処理ステップが行われ、Ａ／Ｄ変換手段２３に入力されたアナログ電流信号をＡ／Ｄ変換し、出力する。次に、演算処理手段２４で電力設備運転・動作状態表示ステップが行われ、プロセッサ３３が監視プログラム３８を実行して、演算処理手段２４に入力されるＡ／Ｄ変換後のデジタル電流信号を演算処理し、表示手段３７に監視対象２１の運転・動作状態（入／切）を表示する。
【０１０７】
本実施形態に係る電力設備監視装置２０Ａおよびその監視方法によれば、監視対象２１の運転・動作状態の切替と連動して動作する接点部２７と表示灯２８とを備える表示灯回路２９に計器用変流器９２を取り付け、取り付けた計器用変流器９２で検出した電流を監視対象２１の運転・動作状態（入／切）を示す入／切状態判別基本情報として電力設備監視装置２０Ａに入力し演算処理することで、監視対象２１の運転・動作状態（入／切）の遠隔監視が可能となる。
【０１０８】
従って、監視対象２１となる電気設備を改造する工事または新規電力設備に取り替えに伴う設備撤去および新設工事が不要となり、電力設備監視装置２０Ａおよびその監視方法を導入する際の費用を大幅に低減できる。
【０１０９】
また、表示灯回路２９に計器用変流器９２を取り付ける作業は、監視対象２１となる電力設備を停電することなく電力設備監視装置２０Ａを設置することができる。さらに、高圧工事が不要となることから設置工事を行う際の作業員の安全性を従来よりもさらに向上させることができる。
【０１１０】
さらにまた、本実施形態に係る電力設備監視装置２０Ａおよびその監視方法によれば、導入する際の費用が大幅に低減されることから、電力設備監視の自動化、省力化のためにＩＴ化を促進する費用的余裕が生まれ、ＩＴ化促進の効果が派生的に期待できる。
【０１１１】
尚、電力設備監視装置２０Ａに具備されるＡ／Ｄ変換手段２３は、電流測定手段８９または演算処理手段２４に備えても良い。
【０１１２】
また、計器用変流器９２は、各表示灯、すなわち、ＤＳ１緑灯６３とＤＳ１赤灯６４（ＤＳ１表示灯５９）、ＤＳ２緑灯６５とＤＳ２赤灯６６（ＤＳ２表示灯６０）およびＣＢ緑灯６７とＣＢ赤灯６８（ＣＢ表示灯６１）を通電する電流を検出するように取り付けられているが、緑灯および赤灯のうち一方を流れる電流を検出するように構成しても良い。
【０１１３】
［第３の実施形態］
図８に本発明の第３の実施形態に係る電力設備監視装置２０Ｂの一例を監視対象２１に適用する際における接続状態の概略を示した概略図を示す。
【０１１４】
図８に示される電力設備監視装置２０Ｂは、図６に示される電力設備監視装置２０Ａに対して、コネクタ３０Ａではなく、コネクタ３０Ｂを使用して表示灯２８から入／切状態判別基本情報としての電流を入／切状態判別情報取得手段としての電流測定手段８９で測定する点以外は基本的に異ならないので、電力設備監視装置２０Ｂと異ならない箇所は同じ符号を付して説明を省略する。
【０１１５】
図８に示される電力設備監視装置２０Ｂは、電流測定手段８９と、Ａ／Ｄ変換手段２３と、演算処理手段２４とを具備し、コネクタ３０Ｂを表示灯２８に取り付けて使用する。コネクタ３０Ｂは、コネクタ３０Ａの計器用変流器９２を光−電流変換手段９６で置換したものである。
【０１１６】
コネクタ３０Ｂの光−電流変換手段９６は、表示灯２８に取り付けられ、表示灯２８の各表示灯、すなわち、ＤＳ１緑灯６３とＤＳ１赤灯６４（ＤＳ１表示灯５９）、ＤＳ２緑灯６５とＤＳ２赤灯６６（ＤＳ２表示灯６０）およびＣＢ緑灯６７とＣＢ赤灯６８（ＣＢ表示灯６１）の点灯時に発光する光を電流に変換して、入／切状態基本情報として光−電流変換後の電流を取得する。
【０１１７】
図８によれば、監視盤５７の表面にある表示灯２８、すなわち、ＤＳ１緑灯６３とＤＳ１赤灯６４（ＤＳ１表示灯５９）、ＤＳ２緑灯６５とＤＳ２赤灯６６（ＤＳ２表示灯６０）およびＣＢ緑灯６７とＣＢ赤灯６８（ＣＢ表示灯６１）の点灯面にコネクタ３０Ａの光−電流変換手段９６が取り付けられる。
【０１１８】
従って、光−電流変換手段９６が取り付けられた表示灯２８が点灯すれば、光−電流変換手段９６で電流が生じて、光−電流変換手段９６で生じた電流を電流測定手段８９で測定し、アナログ電流信号として出力する。例えば、ＤＳ１赤灯６４が点灯した場合は、ＤＳ１赤灯６４に取り付けられた光−電流変換手段９６が光を検出して電流を発生させて、発生した電流を電流測定手段８９で測定し、アナログ電流信号として出力する。尚、ＤＳ１緑灯６３等のその他の表示灯についても同様である。
【０１１９】
電力設備監視装置２０Ｂでなされる電力設備（監視対象）２１の監視方法について説明する。
【０１２０】
まず、監視対象２１を遠隔で監視する準備作業として電力設備監視準備ステップを行う。電力設備監視準備ステップでは、監視盤５７の表面にある表示灯２８、すなわち、ＤＳ１緑灯６３とＤＳ１赤灯６４（ＤＳ１表示灯５９）、ＤＳ２緑灯６５とＤＳ２赤灯６６（ＤＳ２表示灯６０）およびＣＢ緑灯６７とＣＢ赤灯６８（ＣＢ表示灯６１）にコネクタ３０Ｂの光−電流変換手段９６を取り付ける作業を行う。
【０１２１】
電力設備監視準備ステップが完了すると、表示灯２８に取り付けた光−電流変換手段９６が検出した光を光−電流変換して生じた電流をコネクタ３０Ｂを介して電力設備監視装置２０Ｂに入力し、演算処理を行うことが可能となる。尚、光−電流変換手段９６の取付作業は、監視対象２１となる電力設備を停電することなく実施できる。
【０１２２】
電力設備監視準備ステップが完了すると、次は、電力設備監視装置２０Ｂで監視対象２１の運転・動作状態（入／切）を取得する電力設備運転・動作状態取得ステップを行う。
【０１２３】
電力設備運転・動作状態取得ステップは、監視盤５７の表面にある表示灯２８の点灯光を光−電流変換して生じる電流を検出する光−電流変換ステップと、光−電流変換ステップで検出した電流を入／切状態判別基本情報として電流測定手段８９で測定し取得した後、アナログ電流信号を出力する電流測定ステップとを備える。
【０１２４】
光−電流変換ステップは、監視盤５７の表面にある表示灯２８、すなわち、ＤＳ１緑灯６３とＤＳ１赤灯６４（ＤＳ１表示灯５９）、ＤＳ２緑灯６５とＤＳ２赤灯６６（ＤＳ２表示灯６０）およびＣＢ緑灯６７とＣＢ赤灯６８（ＣＢ表示灯６１）との点灯面に取り付けられた光−電流変換手段９６で点灯光が電流に変換される。
【０１２５】
光−電流変換される電流は、光−電流変換手段９６が取得する光の波長により電流の大小が異なる。例えば、ＤＳ１表示灯５９に着目して説明すれば、ＤＳ１緑灯６３が点灯している時と、ＤＳ１赤灯６４が点灯している場合とでは、光−電流変換手段９６から出力される電流量は異なり状態の判別が可能となる。光−電流変換ステップが完了すると、次に、電流測定ステップがなされる。
【０１２６】
電力設備監視装置２０Ｂでなされる電流測定ステップ以降のステップは、電流測定ステップと、Ａ／Ｄ変換処理ステップおよび電力設備運転・動作状態表示ステップを備える入／切表示ステップであり、電力設備監視装置２０Ａでなされる電力設備（監視対象）２１の監視方法と同様である。入／切表示ステップが完了すると、表示手段３７には、監視対象２１の運転・動作状態（入／切）が表示される。
【０１２７】
本実施形態に係る電力設備監視装置２０Ｂおよびその監視方法によれば、監視対象２１の運転・動作状態の切替と連動して動作する接点部２７と表示灯２８とを備える表示灯回路２９の各表示灯５９，６０，６１の点灯面に光−電流変換手段９６を取り付け、取り付けた光−電流変換手段９６からの電流を監視対象２１の運転・動作状態（入／切）を示す信号として電力設備監視装置２０Ｂに入力して演算処理することで、監視対象２１の運転・動作状態（入／切）の遠隔監視が可能となる。
【０１２８】
従って、監視対象２１となる電気設備を改造する工事または新規電力設備に取り替えに伴う設備撤去および新設工事が不要となり、電力設備監視装置２０Ｂおよびその監視方法を導入する際の費用を大幅に低減できる。
【０１２９】
また、光−電流変換手段９６を取り付ける作業は、監視対象２１となる電力設備を停電することなく電力設備監視装置２０Ｂを設置することができる。さらに、高圧工事が不要となることから設置工事を行う際の作業員の安全性を従来よりもさらに向上させることができる。
【０１３０】
さらにまた、本実施形態に係る電力設備監視装置２０Ｂおよびその監視方法によれば、導入する際の費用が大幅に低減されることから、電力設備監視の自動化、省力化のためにＩＴ化を促進する費用的余裕が生まれ、ＩＴ化促進の効果が派生的に期待できる。
【０１３１】
尚、電力設備監視装置２０Ｂにおいて、Ａ／Ｄ変換手段２３は、電流測定手段８９または演算処理手段２４に備えても良い。
【０１３２】
また、光−電流変換手段９６は、各表示灯、すなわち、ＤＳ１緑灯６３とＤＳ１赤灯６４（ＤＳ１表示灯５９）、ＤＳ２緑灯６５とＤＳ２赤灯６６（ＤＳ２表示灯６０）およびＣＢ緑灯６７とＣＢ赤灯６８（ＣＢ表示灯６１）の点灯／消灯から光を検出し、電流を取得するように取り付けられているが、緑灯および赤灯のうち一方の点灯／消灯から光を検出し、電流を取得するように構成しても差し支えない。
【０１３３】
［第４の実施形態］
図９に本発明の第４の実施形態に係る電力設備監視装置２０Ｃの一例を監視対象２１に適用する際における接続状態の概略を示した概略図を示す。
【０１３４】
図９に示される電力設備監視装置２０Ｃは、図８に示される電力設備監視装置２０Ｂに対して、コネクタ３０Ｂの代わりにコネクタ３０Ｃが使用されている点以外は基本的に異ならないので、共通する箇所については同じ符号を付して説明を省略する。
【０１３５】
図９に示される電力設備監視装置２０Ｃは、電流測定手段８９と、Ａ／Ｄ変換手段２３と、演算処理手段２４とを具備し、コネクタ３０Ｃを表示灯２８に取り付けて使用する。コネクタ３０Ｃは、コネクタ３０Ｂの光−電流変換手段９６を熱−電流変換手段９７で置換したものである。
【０１３６】
コネクタ３０Ｃの熱−電流変換手段９７は、表示灯２８に取り付けられ、表示灯２８の各表示灯、すなわち、ＤＳ１緑灯６３とＤＳ１赤灯６４（ＤＳ１表示灯５９）、ＤＳ２緑灯６５とＤＳ２赤灯６６（ＤＳ２表示灯６０）およびＣＢ緑灯６７とＣＢ赤灯６８（ＣＢ表示灯６１）の点灯時に発する熱を電流に変換するものである。
【０１３７】
電力設備監視装置２０Ｃでなされる電力設備（監視対象）２１の監視方法については、第３の実施形態で説明した電力設備監視装置２０Ｂでなされる電力設備（監視対象）２１の監視方法についての説明において、光−電流変換手段９６を熱−電流変換手段９７と読み替えるのみであるため、本実施形態では説明を省略する。
【０１３８】
本実施形態に係る電力設備監視装置２０Ｃおよびその監視方法によれば、監視対象２１の運転・動作状態の切替と連動して動作する接点部２７と表示灯２８とを備える表示灯回路２９の各表示灯５９，６０，６１の点灯面に熱−電流変換手段９７を取り付け、取り付けた熱−電流変換手段９７からの電流を監視対象２１の運転・動作状態を示す信号（入／切）として電力設備監視装置２０Ｃに入力して演算処理することで、監視対象２１の運転・動作状態（入／切）の遠隔監視が可能となる。
【０１３９】
従って、監視対象２１となる電気設備を改造する工事または新規電力設備に取り替えに伴う設備撤去および新設工事が不要となり、電力設備監視装置２０Ｃおよびその監視方法を導入する際の費用を大幅に低減できる。
【０１４０】
また、熱−電流変換手段９７を取り付ける作業は、監視対象２１となる電力設備を停電することなく電力設備監視装置２０Ｃを設置することができる。さらに、高圧工事が不要となることから設置工事を行う際の作業員の安全性を従来よりもさらに向上させることができる。
【０１４１】
さらにまた、本実施形態に係る電力設備監視装置２０Ｃおよびその監視方法によれば、導入する際の費用が大幅に低減されることから、電力設備監視の自動化、省力化のためにＩＴ化を促進する費用的余裕が生まれ、ＩＴ化促進の効果が派生的に期待できる。
【０１４２】
また、図９に示される熱−電流変換手段９７を用いた場合においても、各表示灯、すなわち、ＤＳ１緑灯６３とＤＳ１赤灯６４（ＤＳ１表示灯５９）、ＤＳ２緑灯６５とＤＳ２赤灯６６（ＤＳ２表示灯６０）およびＣＢ緑灯６７とＣＢ赤灯６８（ＣＢ表示灯６１）の点灯／消灯から熱を検出し、電流を取得するように取り付けられているが、緑灯および赤灯のうち一方の点灯／消灯から熱を検出し、電流を取得するように構成しても良い。
【０１４３】
［第５の実施形態］
図１０に本発明の第５の実施形態に係る電力設備監視装置２０Ｄの一例を監視対象２１に適用する際における接続状態の概略を示した概略図を示す。
【０１４４】
図１０に示される電力設備監視装置２０Ｄは、図６に示される電力設備監視装置２０Ａに対して、電流測定手段８９の代わりに抵抗値算出情報取得手段９８を備える点以外は基本的に異ならないので、電力設備監視装置２０Ａと異ならない箇所は同じ符号を付して説明を省略する。
【０１４５】
図１０に示される電力設備監視装置２０Ｄは、入／切状態判別基本情報として、接点部２７および表示灯２８間の抵抗値を算出するための必要情報を取得する入／切状態判別情報取得手段としての抵抗値算出情報取得手段９８と、Ａ／Ｄ変換手段２３と、演算処理手段２４とを具備する。電力設備監視装置２０Ｂが具備する抵抗値算出情報取得手段９８は、電圧測定手段２２と、電流測定手段８９とを備える。
【０１４６】
図１０によれば、電力設備監視装置２０Ｄを監視対象２１を遠隔監視する場合は、正極側電源ライン７３と負極側電源ライン７４との間にかかる電圧（以下、ライン間電圧とする）を測定し得るように表示灯回路２９と電圧測定手段２２とをコネクタ３０で電気的に接続する。そして、表示灯回路２９内の各表示灯、すなわち、ＤＳ１緑灯６３およびＤＳ１赤灯６４（ＤＳ１表示灯５９）、ＤＳ２緑灯６５およびＤＳ２赤灯６６（ＤＳ２表示灯６０）およびＣＢ緑灯６７およびＣＢ赤灯６８（ＣＢ表示灯６１）を通電する電流を検出し取得し得るように表示灯回路２９と電流測定手段８９とをコネクタ３０Ａを介して接続する。
【０１４７】
電力設備監視装置２０Ｄでなされる電力設備（監視対象）２１の監視方法について説明する。
【０１４８】
まず、監視対象２１を遠隔で監視する準備作業として電力設備監視準備ステップを行う。電力設備監視準備ステップは、ライン間電圧を測定し得るように表示灯回路２９と電圧測定手段２２とをコネクタ３０を用いて電気的に接続する。そして、表示灯回路２９におけるＤＳ１緑灯６３およびＤＳ１赤灯６４（ＤＳ１表示灯５９）、ＤＳ２緑灯６５およびＤＳ２赤灯６６（ＤＳ２表示灯６０）およびＣＢ緑灯６７およびＣＢ赤灯６８（ＣＢ表示灯６１）を通電する電流を検出し取得する計器用変流器９２を備えたコネクタ３０Ａを取り付ける。
【０１４９】
図１１に電力設備監視装置２０Ｄおよびその監視方法を適用した場合における監視盤５７の側面図を示す。
【０１５０】
図１１に示されるように、監視盤５７の背面において、電圧測定手段２２がライン間電圧を測定し得るように表示灯回路２９と電気的に接続される。また、計器用変流器９２は、監視盤５７の背面において、表示灯ライン７５に取り付けられる。尚、電圧測定手段２２との接続作業および計器用変流器９２の取り付け作業の順番は、どちらが先でも良い。
【０１５１】
電力設備監視準備ステップを行うことにより、ＤＳ１表示灯５９、ＤＳ２表示灯６０およびＣＢ表示灯６１を通電する電流およびライン間電圧を入／切状態判別基本情報として取得して電力設備監視装置２０Ｄに入力し演算処理することが可能となる。尚、電圧測定手段２２の電気的に接続作業および計器用変流器９２の取付作業は、監視対象２１となる電力設備を停電することなく実施できる。
【０１５２】
電力設備監視準備ステップが完了したら次は、入／切状態判別基本情報としてのライン間電圧と、ＤＳ１表示灯５９、ＤＳ２表示灯６０およびＣＢ表示灯６１を通電する電流とを抵抗値算出情報取得手段９８で検知し測定してアナログ電圧信号およびアナログ電流信号を出力する電力設備運転・動作状態取得ステップとしての電圧・電流測定ステップを行う。
【０１５３】
電圧・電流測定ステップは、抵抗値算出情報取得手段９８が備える電圧測定手段２２でライン間電圧を測定し、抵抗値算出情報取得手段９８が備える電流測定手段８９でＤＳ１表示灯５９、ＤＳ２表示灯６０およびＣＢ表示灯６１を通電する電流を測定して、抵抗値算出情報取得手段９８からアナログ電圧信号およびアナログ電流信号を出力してＡ／Ｄ変換手段２３へ伝送するステップである。
【０１５４】
尚、電圧・電流測定ステップは、監視プログラム３８によって予め設定したスケジュール（例えば、所定間隔）に応じて電圧および電流を検出して取得しても良いし、監視者が入力手段３６から手動で入力操作してその都度行っても良い。また、電圧および電流を検出しアナログ電圧信号およびアナログ電流信号を出力するタイミングは、監視者が欲しいタイミングでアナログ電圧信号およびアナログ電流信号を取得できれば、どのようなタイミングでも良い。
【０１５５】
電圧・電流測定ステップに続いては、アナログ電圧信号およびアナログ電流信号をＡ／Ｄ変換手段２３でＡ／Ｄ変換したデジタル電圧信号およびデジタル電流信号を演算処理手段２４で演算処理し、監視対象２１の運転・動作状態（入／切）を表示手段３７に表示する電圧・電流信号処理ステップを行う。
【０１５６】
電圧・電流信号処理ステップは、抵抗値算出情報取得手段９８で取得されＡ／Ｄ変換手段２３に伝送されたアナログ電圧信号およびアナログ電流信号をＡ／Ｄ変換手段２３でＡ／Ｄ変換するＡ／Ｄ変換処理ステップと、演算処理手段２４に入力されるデジタル電圧信号およびデジタル電流信号に基づいてプロセッサ３３が演算処理して監視対象２１の運転・動作状態（入／切）を表示手段３７に表示する電力設備運転・動作状態表示ステップとを備える。
【０１５７】
電圧・電流信号処理ステップでは、まず、Ａ／Ｄ変換手段２３でＡ／Ｄ変換処理ステップが行われ、Ａ／Ｄ変換手段２３に入力されたアナログ電圧信号およびアナログ電流信号をＡ／Ｄ変換し、出力する。次に、演算処理手段２４で電力設備運転・動作状態表示ステップが行われ、プロセッサ３３が監視プログラム３８を実行して、演算処理手段２４に入力されるＡ／Ｄ変換後のデジタル電圧信号およびデジタル電流信号を演算処理し、表示手段３７に監視対象２１の運転・動作状態（入／切）を表示する。
【０１５８】
電力設備運転・動作状態表示ステップでは、まず、Ａ／Ｄ変換後のデジタル電圧信号およびデジタル電流信号を演算処理して表示灯ライン７５の抵抗値を算出する。表示灯ライン７５の抵抗値は、接点部２７の接点部２７が備える接点の開閉状態により変化する。従って、表示灯ライン７５の抵抗値から監視対象２１の運転・動作状態（入／切）を示す表示灯２８の点灯／消灯の状態を知ることができる。
【０１５９】
例えば、図２に示される監視対象２１のうち、第１の断路器４１の投入／引出し状態（入／切）状態を遠隔監視する場合には、ＤＳ１表示灯５９が備えるＤＳ１緑灯６３とＤＳ１ブレイク接点５０とを有する表示灯ライン７５Ｇの抵抗値と、ＤＳ１表示灯５９が備えるＤＳ１赤灯６４とＤＳ１メイク接点４９とを有する表示灯ライン７５Ｒの抵抗値とを算出する。
【０１６０】
第１の断路器４１が引出し状態（切）の場合には、ＤＳ１メイク接点４９が開いて電気的に開放となるため、ＤＳ１赤灯６４とＤＳ１メイク接点４９とを有する表示灯ライン７５Ｒは通電しない。すなわち、抵抗値は無限大となる。また、ＤＳ１ブレイク接点５０は閉じて電気的に短絡するため、ＤＳ１緑灯６３とＤＳ１ブレイク接点５０とを有する表示灯ライン７５Ｇは通電し、ある有限な抵抗値を示す。
【０１６１】
一方、第１の断路器４１が投入状態（入）の場合には、ＤＳ１メイク接点４９が閉じて電気的に短絡するため、ＤＳ１赤灯６４とＤＳ１メイク接点４９とを有する表示灯ライン７５Ｒは通電し、ある有限な抵抗値を示す。また、ＤＳ１ブレイク接点５０は開いて電気的に開放となるため、ＤＳ１緑灯６３とＤＳ１ブレイク接点５０とを有する表示灯ライン７５Ｇは通電しない。すなわち、抵抗値は無限大となる。
【０１６２】
この様に、表示灯ライン７５（７５Ｒ，７５Ｇ）の抵抗値の違いから表示灯２８の点灯／消灯の状態を判別して第１の断路器４１の投入／引出し状態（入／切）状態を遠隔監視することができる。尚、第２の断路器４２および遮断器４３の投入／引出し状態（入／切）状態についても同様にして抵抗値の違いから第２の断路器４２および遮断器４３の投入／引出し状態（入／切）状態を遠隔監視することが可能となる。
【０１６３】
本実施形態に係る電力設備監視装置２０Ｄおよびその監視方法によれば、まず、監視対象２１の運転・動作状態の切替と連動して動作する接点部２７と表示灯２８とを備える表示灯回路２９と電力設備監視装置２０Ｄが具備する抵抗値算出情報取得手段９８とを電気的に接続する。
【０１６４】
そして、電力設備監視準備ステップ後、抵抗値算出情報取得手段９８でアナログ電圧信号およびアナログ電流信号を監視対象２１の運転・動作状態（入／切）を示す信号として出力し、Ａ／Ｄ変換手段２３および演算処理手段２４に入力して演算処理することで、監視対象２１の運転・動作状態（入／切）の遠隔監視が可能となる。
【０１６５】
従って、監視対象２１となる電気設備を改造する工事または新規電力設備に取り替えに伴う設備撤去および新設工事が不要となり、電力設備監視装置２０Ｄおよびその監視方法を導入する際の費用を大幅に低減できる。
【０１６６】
また、表示灯回路２９と抵抗値算出情報取得手段９８とを電気的に接続する作業は、監視対象２１となる電力設備を停電することなく電力設備監視装置２０Ｄを設置することができる。さらに、高圧工事が不要となることから設置工事を行う際の作業員の安全性を従来よりもさらに向上させることができる。
【０１６７】
さらにまた、導入する際の費用が大幅に低減されることから、電力設備監視の自動化、省力化のためにＩＴ化を促進する費用的余裕が生まれ、ＩＴ化促進の効果が派生的に期待できる。
【０１６８】
一方、本実施形態に係る電力設備監視装置２０Ｄおよびその監視方法では、表示灯ライン７５の抵抗値の違いから表示灯２８の点灯／消灯の状態を判別して監視対象２１の運転・動作状態（入／切）を判別するので、外的要因等により、表示灯回路２９のライン間電圧が変動しても、表示灯ライン７５の抵抗値は変動しない。従って、従来の電力設備監視装置およびその監視方法や電力設備監視装置２０Ａ，２０Ｂおよびその監視方法と比較して、監視対象２１の運転・動作状態（入／切）の誤認識を生じる確率がさらに低減できる。
【０１６９】
尚、電力設備監視装置２０Ｄに具備されるＡ／Ｄ変換手段２３は、電流測定手段８９または演算処理手段２４に備えても良い。
【０１７０】
また、計器用変流器９２は、各表示灯、すなわち、ＤＳ１緑灯６３とＤＳ１赤灯６４（ＤＳ１表示灯５９）、ＤＳ２緑灯６５とＤＳ２赤灯６６（ＤＳ２表示灯６０）およびＣＢ緑灯６７とＣＢ赤灯６８（ＣＢ表示灯６１）を流れる電流を検出し、取得するように取り付けられているが、緑灯および赤灯のうち一方を流れる電流を取得するように構成しても良い。
【０１７１】
［第６の実施形態］
図１２に本発明の第６実施形態に係る電力設備監視装置２０Ｅの一例を監視対象２１に適用する際の接続状態の概略を示した概略図を示す。
【０１７２】
図１２に示される電力設備監視装置２０Ｅは、監視対象２１の運転・動作状態（入／切）を表示する表示灯２８が表面に取り付けられた監視盤５７の代わりに発光しない入／切状態表示器１００が表面に取り付けられた監視盤５７Ａに対して適用するための装置である。
【０１７３】
電力設備監視装置２０Ｅは、図８に示される電力設備監視装置２０Ｂに対して、さらに発光制御手段１０１を備える点以外は基本的に異ならないので、電力設備監視装置２０Ｂと異ならない箇所は同じ符号を付して説明を省略する。
【０１７４】
図１２に示される電力設備監視装置２０Ｅは、電流測定手段８９と、Ａ／Ｄ変換手段２３と、演算処理手段２４と、光を発光する発光制御手段１０１とを具備する。電力設備監視装置２０Ｅが具備する発光制御手段１０１は、発光信号を受信して光を発する発光部１０３と、発光信号を生成する発光制御部１０４とを備える。
【０１７５】
図１２によれば、電力設備監視装置２０Ｅは、コネクタ３０Ａの光−電流変換手段９６と、発光制御手段１０１の発光部１０３とが監視盤５７Ａの入／切状態表示器１００に取り付けられる。そして、電流測定手段８９は、Ａ／Ｄ変換手段２３を介して演算手段１４と電気的に接続される。また、発光制御手段１０１は、直接的に演算手段１４と電気的に接続される。
【０１７６】
図１２に示される入／切状態表示器１００は、図８に示される監視盤５７における表示灯２８に代わるものであり、監視対象２１の運転・動作状態（入／切）を表示する。入／切状態表示器１００は、監視盤５７Ａの表面に取り付けられた無色透明な窓１０６の内部に緑色と赤色とに色分けされた球状、円筒状または略円筒状の状態表示体１０７が設けられる。
【０１７７】
図１３に入／切状態表示器１００の窓１０６の内部に設けられた状態表示体１０７の一例として球体形状を有する状態表示体１０７の斜視図を示す。
【０１７８】
図１３に示される状態表示体１０７は、回転軸１０８と平行な境界線１０９を有し、球体表面を１８０°ずつ入状態を示す赤色と切状態を示す緑色とで色分けされる。この様に色分けされた状態表示体１０７を監視対象２１の運転・動作状態（入／切）に応じて、回転軸１０８を中心にして１８０°回転させることにより、状態表示体１０７の赤色エリア１１１または緑色エリア１１２の一方が窓１０６から目視可能に表示される。
【０１７９】
電力設備監視装置２０Ｅでなされる電力設備（監視対象）２１の監視方法について説明する。
【０１８０】
まず、監視対象２１を遠隔で監視する準備作業として電力設備監視準備ステップを行う。電力設備監視準備ステップでは、監視盤５７Ａの表面にある入／切状態表示器１００の窓１０６表面にコネクタ３０Ａの光−電流変換手段９６を取り付ける作業を行う。また、発光制御手段１０１の発光部１０３を窓１０６に取り付ける作業も行う。尚、光−電流変換手段９６および発光部１０３を取り付ける順番はどちらが先でも良い。
【０１８１】
電力設備監視準備ステップを行うことにより、発光制御手段１０１の発光部１０３が発光した際に、状態表示体１０７の赤色エリア１１１または緑色エリア１１２で反射した光をコネクタ３０Ａの光−電流変換手段９６で生じた電流を電力設備監視装置２０Ｅに入力し演算処理することが可能となる。尚、光−電流変換手段９６および発光制御手段１０１の発光部１０３を取り付ける作業は、監視対象２１となる電力設備を停電することなく実施できる。
【０１８２】
電力設備監視準備ステップが完了すると、次は、電力設備監視装置２０Ｅで電力設備運転・動作状態取得ステップがなされる。電力設備運転・動作状態取得ステップは、発光部１０３を発光させる発光ステップと、状態表示体１０７で反射した反射光を光−電流変換して電流を取得する光−電流変換ステップと、光−電流変換ステップで生じた電流を測定しアナログ電流信号を出力する電流測定ステップとを備える。
【０１８３】
発光ステップは、演算処理手段２４から出力された発光制御信号を発光制御手段１０１が受信して発光信号を発光部１０３に出力する。発光部１０３は発光制御手段１０１からの発光信号を受信すると発光し、状態表示体１０７に発光部１０３からの光（以下、照射光とする）が照射される。状態表示体１０７へ照射された照射光は、状態表示体１０７の表面で反射して、光−電流変換手段９６で受光される。
【０１８４】
尚、演算処理手段２４から出力される発光制御信号は、監視者が手動で入力操作してその都度出力されても良いし、監視プログラム３８によって予め設定したスケジュール（例えば、所定間隔）に応じて出力されても良い。
【０１８５】
また、発光制御信号を出力するタイミングは、監視者が欲しいタイミングで発光制御信号を取得できれば、どのようなタイミングでも良い。すなわち、発光制御信号を出力するタイミングは、連続的でも間欠的でも良く、間欠的な場合においては、周期的か非周期的かを問わない。
【０１８６】
発光ステップが完了すると、次は、光−電流変換手段９６で光−電流変換ステップがなされる。光−電流変換ステップ以降は、電力設備監視装置２０Ｂでなされる電力設備（監視対象）２１の監視方法と同様であり、光−電流変換ステップと、電流測定ステップと、Ａ／Ｄ変換処理ステップおよび電力設備運転・動作状態表示ステップを備える電流信号処理ステップとを行う。電流信号処理ステップが完了すると、表示手段３７には、監視対象２１の運転・動作状態（入／切）が表示される。
【０１８７】
尚、電流測定ステップは、監視プログラム３８によって予め設定したスケジュール（例えば、所定間隔）に応じて電流を検出して取得するようにしても良いし、監視者が入力手段３６から手動で入力操作してその都度行っても良い。但し、手動で入力操作する場合は、電力設備運転・動作状態取得ステップ（発光ステップ、光−電流変換ステップおよび電流測定ステップ）を一連の流れとして行う必要がある。
【０１８８】
本実施形態に係る電力設備監視装置２０Ｅおよびその監視方法によれば、監視対象２１の運転・動作状態の切替と連動して状態表示が切り替わる入／切状態表示器１００の窓１０６の表面にコネクタ３０Ａの光−電流変換手段９６と発光制御手段１０１の発光部１０３とを取り付け、取り付けた発光部１０３を発光させて、入／切状態表示器１００の内部にある状態表示体１０７で反射した光を光−電流変換手段９６で受光する。そして、光−電流変換手段９６で光−電流変換して生じた電流を監視対象２１の運転・動作状態（入／切）を示す入／切状態判別基本情報として電力設備監視装置２０Ｅに入力して演算処理することで、監視対象２１の運転・動作状態（入／切）の遠隔監視が可能となる。
【０１８９】
従って、監視対象２１となる電気設備を改造する工事または新規電力設備に取り替えに伴う設備撤去および新設工事が不要となり、電力設備監視装置２０Ｅおよびその監視方法を導入する際の費用を大幅に低減できる。
【０１９０】
また、入／切状態表示器１００の窓１０６の表面にコネクタ３０Ａの光−電流変換手段９６および発光制御手段１０１の発光部１０３を取り付ける作業は、監視対象２１となる電力設備を停電することなく電力設備監視装置２０Ｅを設置することができる。さらに、高圧工事が不要となることから設置工事を行う際の作業員の安全性を従来よりもさらに向上させることができる。
【０１９１】
さらにまた、本実施形態に係る電力設備監視装置２０Ｅおよびその監視方法によれば、導入する際の費用が大幅に低減されることから、電力設備監視の自動化、省力化のためにＩＴ化を促進する費用的余裕が生まれ、ＩＴ化促進の効果が派生的に期待できる。
【０１９２】
尚、電力設備監視装置２０Ｅにおいて、Ａ／Ｄ変換手段２３は、電流測定手段８９または演算処理手段２４に備えても良い。また、入／切状態表示器１００内に設けられる状態表示体１０７は、入／切状態を視覚的に識別して表示可能であれば良く、形状は必ずしも球状、円筒状または略円筒状でなくても良い。例えば、入／切状態表示器１００内に設けられる状態表示体１０７は、窓１０６から見える表示を赤色／緑色と切り替え可能なように少なくとも一方がスライド移動可能な赤色および緑色の２枚１組の盤状に形成しても良い。
【０１９３】
［第７の実施形態］
図１４に本発明の第７の実施形態に係る電力系統監視装置２０Ｆの一例を監視対象２１に適用する際における接続状態の概略を示した概略図を示す。
【０１９４】
図１４に示される電力系統監視装置２０Ｆは、第１〜第６の実施形態に係る電力系統監視装置２０〜２０Ｅに対して、監視対象２１の運転・動作状態（入／切）を監視対象２１の運転・動作状態（入／切）の切替操作を行う切替操作手段１１４から取得する点で異なるが、その他の点は基本的に異ならない。従って、異ならない箇所には同じ符号を付して説明を省略する。
【０１９５】
電力系統監視装置２０Ｆは、監視対象２１の運転・動作状態（入／切）の切替操作を行う切替操作手段１１４から監視対象２１の運転・動作状態（入／切）を検出し取得する入／切状態検出手段１１６と、監視対象２１の運転・動作状態（入／切）を判別する入／切状態判別手段１１７と、入／切状態判別手段１１７から出力される入／切状態判別信号（デジタル信号）を入力して演算処理する演算処理手段２４とを具備する。
【０１９６】
切替操作手段１１４は、監視対象２１の運転・動作状態（入／切）を切替操作する操作器１１９と、監視対象２１の運転・動作状態（入／切）を表示する入／切状態表示部１２０とを備える。切替操作手段１１４が備える操作器１１９は監視対象２１と機械的または電気的に接続される。また、切替操作手段１１４が備える入／切状態表示部１２０には、電力系統監視装置２０Ｆが具備する入／切状態検出手段１１６が取り付けられる。
【０１９７】
図１５に切替操作手段１１４が備える入／切状態表示部１２０およびその近傍の概略を示した概略図を示す。
【０１９８】
尚、図１５に図示される入／切状態表示部１２０は、監視対象２１が備える第１の断路器４１の投入／引出し（入／切）状態を示した図を一例として示したものであり、図１５に図示される第１の断路器４１の運転・動作状態は、投入（入）状態を示している。
【０１９９】
図１５によれば、入／切状態表示部１２０は、切替操作手段１１４の本体１２２の表面に、入／切状態の変化に伴い可動する可動盤１２３と、入／切状態を指示する矢印１２４とが設けられ、入／切状態を目視可能に構成される。可動盤１２３は、例えば、中心角が９０°の扇形の盤であり、中心点１２５を支点に回転可能に本体１２２の表面に取り付けられる。
【０２００】
本体１２２の表面に取り付けられた可動盤１２３の表面には、「入」および「切」が、可動盤１２３の外周側かつ弧の端部近傍に記されている。可動盤１２３は、監視対象２１が入状態の時において、矢印１２４が可動盤１２３に記された「入」を指し、監視対象２１が切状態の時には可動盤１２３が中心点１２５を支点に回転可動して矢印１２４が可動盤１２３に記された「切」を指す様に構成される。
【０２０１】
また、切替操作手段１１４の本体１２２に設けられる突起部１２７には、電力設備監視装置２０Ｆが具備する入／切状態検出手段１１６が取り付けられ、可動盤１２３が「入」を表示する際に、可動盤１２３と入／切状態検出手段１１６とが接触する位置に固定される。
【０２０２】
入／切状態検出手段１１６は、可動盤１２３の可動に伴い、接したり離れたりして変位する探知部１２９と、探知部１２９を保持、固定する固定台座１３０とを備える接触探知式の入／切状態検出手段である。入／切状態検出手段１１６は、入／切状態検出手段１１６が備える固定台座１３０により、切替操作手段１１４の本体１２２に設けられる突起部１２７に取り付けられ、保持、固定がなされる。また、固定台座１３０には、例えば、永久磁石等で本体１２２に保持固定可能に構成され、簡便に探知部１２９を保持、固定することが可能となる。
【０２０３】
電力設備監視装置２０Ｆでなされる電力設備（監視対象）２１の監視方法について説明する。
【０２０４】
まず、監視対象２１を遠隔で監視する準備作業として電力設備監視準備ステップを行う。電力設備監視準備ステップは、入り切り状態検出手段取り付けステップであり、具体的には、切替操作手段１１４の本体１２２の表面の突起部１２７に入／切状態検出手段１１６を取り付けて固定する作業である。入／切状態検出手段１１６が備える探知部１２９は、図１５に示されるように、可動盤１２３が「切」の位置にある時は、可動盤１２３と接していないが、可動盤１２３が「入」の位置にある時は、可動盤１２３と接して可動するよう本体１２２に取り付け固定される。
【０２０５】
電力設備監視準備ステップ（入り切り状態検出手段取り付けステップ）を行うことにより、可動盤１２３の入／切の位置を機械的に検出して、検出結果を電力設備監視装置２０Ｆで判別、演算処理することが可能となる。尚、切替操作手段１１４の本体１２２の表面の突起部１２７に入／切状態検出手段１１６を取り付けて固定する作業は、監視対象２１となる電力設備を停電することなく実施できる。
【０２０６】
電力設備監視準備ステップが完了すると、次は、電力設備監視装置２０Ｆで電力設備運転・動作状態取得ステップがなされる。電力設備運転・動作状態取得ステップでは、まず、監視対象２１の運転・動作状態（入／切）と連動して可動する入／切状態表示部１２０の可動盤１２３の位置（入／切）を電力設備監視装置２０Ｆが具備する入／切状態検出手段１１６で検出する入／切状態検出ステップがなされる。可動盤１２３の入／切の位置の検出は、入／切状態検出手段１１６が備える探知部１２９が可動盤１２３と接触しているか否かで行う。
【０２０７】
次に、入／切状態検出手段１１６で検出した可動盤１２３の入／切の位置を入／切状態判別手段１１７で判別する入／切状態判別ステップがなされる。可動盤１２３の入／切の位置の判別は、探知部１２９が可動盤１２３により変位した機械的変位量に応じて判別される。すなわち、入／切状態判別手段１１７で、機械的変位量から電気的な入／切状態判別信号（デジタル信号）が生成される。入／切状態判別手段１１７で可動盤１２３の入／切状態を判別後は、生成された入／切状態判別信号が入／切状態判別手段１１７から出力される。
【０２０８】
電力設備運転・動作状態取得ステップが完了すると、次に、電力設備運転・動作状態表示ステップがなされる。電力設備運転・動作状態表示ステップでは、まず、入／切状態判別手段１１７が出力した判別結果を入／切状態判別信号（デジタル信号）が演算処理手段２４に入力される。演算処理手段２４は、可動盤１２３の入／切状態の判別結果を監視対象２１の運転・動作状態（入／切）とみなして、演算処理手段２４が備える表示手段３７に表示する。
【０２０９】
尚、電力設備運転・動作状態取得ステップにおいて、入／切状態判別信号（デジタル信号）が出力されるタイミングは、監視プログラム３８によって予め設定したスケジュール（例えば、所定間隔）に応じて制御しても良い。また、監視者が入力手段３６から手動で入力操作してその都度行っても良い。但し、手動で入力操作する場合は、電力設備運転・動作状態取得ステップ（発光ステップ、光−電流変換ステップおよび電流測定ステップ）を一連の流れとして行う必要がある。
【０２１０】
さらに、監視プログラム３８は、電力設備運転・動作状態取得ステップにおいて、入／切状態判別信号（デジタル信号）が出力されるタイミングを制御し得るように構成される代わりに、電力設備運転・動作状態表示ステップにおいて、入／切状態判別信号（デジタル信号）が入力されるタイミングを制御し得るように構成されても良い。
【０２１１】
本実施形態に係る電力設備監視装置２０Ｆおよびその監視方法によれば、まず、監視対象２１の運転・動作状態の切替と連動して可動する入／切状態表示部１２０の可動盤１２３と接離して変位する入／切状態検出手段１１６を切替操作手段１１４の本体１２２の表面の突起部１２７に取り付けて固定する。
【０２１２】
次に、入／切状態検出手段１１６が備える探知部１２９が可動盤１２３と接しているか否かで可動盤１２３の入／切の位置を探知して、探知した可動盤１２３の入／切の位置情報を監視対象２１の運転・動作状態（入／切）を示す信号として電力設備監視装置２０Ｆに入力し演算処理して表示することで、監視対象２１の運転・動作状態（入／切）の遠隔監視が可能となる。
【０２１３】
従って、監視対象２１となる電気設備を改造する工事または新規電力設備に取り替えに伴う設備撤去および新設工事が不要となり、電力設備監視装置２０Ｆおよびその監視方法を導入する際の費用を大幅に低減できる。
【０２１４】
また、入／切状態検出手段１１６を取り付ける作業は、監視対象２１となる電力設備を停電することなく電力設備監視装置２０Ｆを設置することができる。さらに、高圧工事が不要となることから設置工事を行う際の作業員の安全性を従来よりもさらに向上させることができる。
【０２１５】
さらにまた、本実施形態に係る電力設備監視装置２０Ｆおよびその監視方法によれば、導入する際の費用が大幅に低減されることから、電力設備監視の自動化、省力化のためにＩＴ化を促進する費用的余裕が生まれ、ＩＴ化促進の効果が派生的に期待できる。
【０２１６】
尚、固定台座１３０は、本体１２２が永久磁石で吸着可能な金属で構成されている場合を想定した一例として示しているが、固定台座１３０に両面テ−プを付着して探知部１２９を保持、固定するようにしても良い。また、固定台座１３０をクランプ等の結合手段と一体化させて設けても良い。特に、永久磁石で吸着できない金属で構成される本体１２２に入／切状態検出手段１１６を取り付ける際には、固定台座１３０に両面テ−プを付着したり、固定台座１３０をクランプ等の結合手段と一体化させて設けた入／切状態検出手段１１６が有効となる。
【０２１７】
また、入／切状態検出手段１１６を取り付ける位置は、図１５に示される位置に限定されない。切替操作手段１１４の本体１２２の表面の突起部１２７の位置に応じて、入／切状態検出手段１１６が有効に機能し得る位置であれば差し支えない。
【０２１８】
［第８の実施形態］
図１６に本発明の第８の実施形態に係る電力設備監視装置２０Ｇの一例を監視対象２１に適用する際における接続状態の概略を示した概略図を示す。
【０２１９】
図１６に示される電力設備監視装置２０Ｇは、図１４に示される電力設備監視装置２０Ｆに対して、入／切状態検出手段１１６を具備する代わりに接点式の入／切状態検出手段１１６Ａを具備する点と、入／切状態検出手段１１６Ａを取り付ける場所が図１５に示される切替操作手段１１４の本体１２２の表面の突起部１２７ではなく、可動盤１２３の表面上に取り付けられるという点とが異なる以外は基本的には異ならない。従って、電力設備監視装置２０Ｆに対して異ならない箇所には同じ符号を付して説明を省略する。
【０２２０】
電力設備監視装置２０Ｇは、監視対象２１の運転・動作状態（入／切）を検出する入／切状態検出手段１１６Ａと、入／切状態判別手段１１７と、演算処理手段２４とを具備する。電力設備監視装置２０Ｇは、電力設備監視装置２０Ｇが具備する入／切状態検出手段１１６Ａを監視対象２１の運転・動作状態（入／切）を切替操作する切替操作手段１１４に取り付けることで、監視対象２１の運転・動作状態（入／切）を取得し遠隔監視を行う。
【０２２１】
図１７に入／切状態検出手段１１６Ａを切替操作手段１１４に取り付けた状態の概略を図示した概略図を示し、図１７（Ａ）は、切替操作手段１１４の入／切状態表示部１２０が「入」の状態、図１７（Ｂ）は、切替操作手段１１４の入／切状態表示部１２０が「切」の状態を図示している。
【０２２２】
図１７に示される入／切状態検出手段１１６Ａは、例えば、水銀リレー等の流体リレーであり、切替操作手段１１４における可動盤１２３に取り付けられる。また、可動盤１２３に取り付けられる入／切状態検出手段１１６Ａとしての流体リレーの内部は、一部空洞を残して、例えば、水銀等の導電性流体（以下、内部流体とする）１３１が封入される。
【０２２３】
可動盤１２３に取り付けられた入／切状態検出手段１１６Ａとしての流体リレーは、可動盤１２３が可動して「入」または「切」の位置が変化すると、流体リレー内の内部流体１３１が移動する。内部流体１３１の移動によって、流体リレーに設けられる２つの接点は、接触したり離れたりするので、電気的な開閉の切り替えが可能となる。
【０２２４】
図１７（Ａ）によれば、入／切状態検出手段１１６Ａとしての流体リレーは、入／切状態表示部１２０が「入」の場合、流体リレーに設けられた２つの接点が、内部流体１３１により電気的に短絡して通電する。一方、図１７（Ｂ）によれば、入／切状態検出手段１１６Ａとしての流体リレーは、入／切状態表示部１２０が「切」の場合、流体リレーに設けられた２つの接点は電気的に開放され、通電しなくなる。従って、入／切状態検出手段１１６Ａとしての流体リレーの通電状態を検出することで可動盤１２３の位置が「入」または「切」のどちらの位置にあるかを検出できる。
【０２２５】
電力設備監視装置２０Ｇでなされる電力設備（監視対象）２１の監視方法について説明する。
【０２２６】
まず、監視対象２１を遠隔で監視する準備作業として電力設備監視準備ステップを行う。電力設備監視準備ステップは、入り切り状態検出手段取り付けステップであり、具体的には、図１７に示されるように可動盤１２３の表面上に入／切状態検出手段１１６Ａとしての流体リレーを取り付ける作業である。入／切状態検出手段１１６Ａの取り付けは、片面テープ、両面テープ等の固着手段によりなされる。
【０２２７】
電力設備監視準備ステップ（入り切り状態検出手段取り付けステップ）を行うことにより、入／切状態表示部１２０の入／切状態を電力設備監視装置２０Ｇで判別し演算処理することが可能となる。尚、可動盤１２３の表面上に入／切状態検出手段１１６Ａとしての流体リレーを取り付ける作業は、監視対象２１となる電力設備を停電することなく実施できる。
【０２２８】
電力設備監視準備ステップが完了すると、次は、電力設備監視装置２０Ｇで電力設備運転・動作状態取得ステップがなされる。電力設備運転・動作状態取得ステップは、演算処理手段２４が入／切状態判別手段１１７を介して入／切状態検出手段１１６Ａへ電圧を印加して、可動盤１２３の入／切の位置を検出する入／切状態検出ステップと、入／切状態検出手段１１６Ａを通電する電流の有無を入／切状態判別手段１１７で検出し、入／切状態判別信号（デジタル信号）を出力する入／切状態判別ステップとを備える。
【０２２９】
電力設備運転・動作状態取得ステップでは、まず、入／切状態検出ステップがなされる。入／切状態検出ステップは、監視対象２１の運転・動作状態（入／切）と連動して可動する入／切状態表示部１２０の可動盤１２３の位置（入／切）を電力設備監視装置２０Ｇが具備する入／切状態検出手段１１６Ａで監視対象２１の入／切状態を検出するステップである。可動盤１２３の入／切の位置の検出は、入／切状態検出手段１１６Ａとしての流体リレーの接点が流体リレー内の内部流体１３１によって短絡または開放されているかを検出することでなされる。
【０２３０】
入／切状態検出ステップが完了すると次に、入／切状態判別ステップがなされる。入／切状態判別ステップでは、入／切状態検出手段１１６Ａで検出した可動盤１２３の入／切の位置が入／切状態判別手段１１７で判別される。入／切状態判別手段１１７は、入／切状態検出手段１１６Ａを電流が通電しているか否かを判別し、可動盤１２３の入／切の位置を判別する。そして、入／切状態判別手段１１７は、可動盤１２３の入／切の位置を判別結果に応じて、入／切状態判別信号（デジタル信号）が生成される。入／切状態判別手段１１７で可動盤１２３の入／切状態を判別後は、生成された入／切状態判別信号が入／切状態判別手段１１７から出力される。
【０２３１】
電力設備運転・動作状態取得ステップが完了すると、次に、電力設備運転・動作状態表示ステップがなされる。電力設備運転・動作状態表示ステップでは、まず、入／切状態判別手段１１７が出力した判別結果を入／切状態判別信号（デジタル信号）が演算処理手段２４に入力される。演算処理手段２４は、可動盤１２３の入／切状態の判別結果を監視対象２１の運転・動作状態（入／切）とみなして、演算処理手段２４が備える表示手段３７に表示する。
【０２３２】
尚、電力設備運転・動作状態取得ステップを開始するタイミングは、監視プログラム３８によって予め設定したスケジュール（例えば、所定間隔）に応じて制御しても良いし、監視者が入力手段３６から手動で入力操作してその都度行っても良い。
【０２３３】
また、監視プログラム３８によって電力設備運転・動作状態取得ステップを実行する場合において、予め設定するスケジュールは、監視者の都合に応じて任意に設定可能である。例えば、所定間隔毎等の間欠的ではなく連続的に設定しても良いし、所定間隔毎等の周期的ではなく、非周期的に設定しても良い。
【０２３４】
本実施形態に係る電力設備監視装置２０Ｇおよびその監視方法によれば、まず、監視対象２１の運転・動作状態の切替と連動して可動する入／切状態表示部１２０の可動盤１２３の表面上に入／切状態検出手段１１６Ａを取り付けて固定する。
【０２３５】
次に、入／切状態検出手段１１６Ａとしての流体リレーが、可動盤１２３の入／切の位置を検知して、検知した結果を電力設備監視装置２０Ｇに入力する。そして、電力設備監視装置２０Ｇが可動盤１２３の入／切の位置情報を監視対象２１の運転・動作状態（入／切）として判別し演算処理して表示することで、監視対象２１の運転・動作状態（入／切）の遠隔監視が可能となる。
【０２３６】
従って、監視対象２１となる電気設備を改造する工事または新規電力設備に取り替えに伴う設備撤去および新設工事が不要となり、電力設備監視装置２０Ｇおよびその監視方法を導入する際の費用を大幅に低減できる。
【０２３７】
また、入／切状態検出手段１１６Ａを取り付ける作業は、監視対象２１となる電力設備を停電することなく電力設備監視装置２０Ｇを設置することができる。さらに、高圧工事が不要となることから設置工事を行う際の作業員の安全性を従来よりもさらに向上させることができる。
【０２３８】
さらにまた、本実施形態に係る電力設備監視装置２０Ｇおよびその監視方法によれば、導入する際の費用が大幅に低減されることから、電力設備監視の自動化、省力化のためにＩＴ化を促進する費用的余裕が生まれ、ＩＴ化促進の効果が派生的に期待できる。
【０２３９】
尚、入／切状態検出手段１１６Ａを可動盤１２３に取り付ける固着手段は、片面テープ、両面テープを一例として例示したが、テープ類に限定されない。接着剤で可動盤１２３に貼り付けても良いし、可動盤１２３の一部に穴を設けて、スクリュー止めをしても良いし、溶接等で取り付けても良い。つまり、固着手段は、入／切状態表示部１２０の可動盤１２３および入／切状態検出手段１１６Ａが動作し得るように取り付けて固定可能な全ての手段を包含する。
【０２４０】
［第９の実施形態］
図１８に本発明の第９の実施形態に係る電力設備監視装置２０Ｈの一例を監視対象２１に適用する際における接続状態の概略を示した概略図を示す。
【０２４１】
図１８に示される電力設備監視装置２０Ｈは、図１４に示される電力設備監視装置２０Ｆに対して、入／切状態検出手段１１６を具備する代わりに磁気探知式の入／切状態検出手段１１６Ｂを具備する点と、入／切状態検出手段１１６Ｂを取り付ける場所とが異なる以外は基本的には異ならない。従って、電力設備監視装置２０Ｆに対して異ならない箇所には同じ符号を付して説明を省略する。
【０２４２】
電力設備監視装置２０Ｈは、監視対象２１の運転・動作状態（入／切）を検出する入／切状態検出手段１１６Ｂと、入／切状態判別手段１１７と、演算処理手段２４とを具備する。電力設備監視装置２０Ｈは、電力設備監視装置２０Ｈが具備する入／切状態検出手段１１６Ｂを監視対象２１の運転・動作状態（入／切）を切替操作する切替操作手段１１４に取り付けることで、監視対象２１の運転・動作状態（入／切）を取得し遠隔監視を行う。
【０２４３】
図１９に入／切状態検出手段１１６Ｂを切替操作手段１１４の入／切状態表示部１２０が備える可動盤１２３に取り付けた状態を説明する概略図を示す。
【０２４４】
入／切状態検出手段１１６Ｂは、例えば、永久磁石等の磁力を発する磁気発生部１３２と、例えば、ホール素子等で構成され、磁気の動きを検出して起電力を生じる磁気−電気変換部１３３とを備える。磁気発生部１３２は、可動盤１２３の表面上に少なくとも１個以上取り付けられる。磁気発生部１３２の取付位置は、可動盤１２３の半径方向に対しては外径側にある弧の近傍であり、弧に沿う方向（周方向）は、「入」または「切」の表示を妨げない任意の箇所に取り付けられる。
【０２４５】
磁気−電気変換部１３３は、磁気発生部１３２と同数個取り付けられる。磁気−電気変換部１３３の取付位置は、可動盤１２３の半径方向に対しては切替操作手段１１４の本体１２２の表面上であり、かつ、可動盤１２３の弧の外径側近傍である。また、可動盤１２３の弧に沿う方向（周方向）は、磁気発生部１３２と略同じである。すなわち、磁気−電気変換部１３３は、本体１２２の表面上において、回転可動の中心点１２５と磁気発生部１３２とを結ぶ略直線上に取り付けられる。
【０２４６】
電力設備監視装置２０Ｈでなされる電力設備（監視対象）２１の監視方法について説明する。
【０２４７】
まず、監視対象２１を遠隔で監視する準備作業として電力設備監視準備ステップを行う。電力設備監視準備ステップは、入り切り状態検出手段取り付けステップであり、図１９に示されるように可動盤１２３の表面上に入／切状態検出手段１１６Ｂが備える磁気発生部１３２および磁気−電気変換部１３３を取り付ける作業である。入／切状態検出手段１１６Ｂの取り付けは、片面テープ、両面テープ等の固着手段によりなされる。
【０２４８】
電力設備監視準備ステップ（入り切り状態検出手段取り付けステップ）を行うことにより、入／切状態表示部１２０の入／切状態を電力設備監視装置２０Ｈで判別し演算処理することが可能となる。尚、状態検出手段１１６Ｂを取り付ける作業、すなわち、可動盤１２３の表面上に磁気発生部１３２を取り付ける作業および切替操作手段１１４の本体１２２の表面上に磁気−電気変換部１３３を取り付ける作業は、監視対象２１となる電力設備を停電することなく実施できる。
【０２４９】
電力設備監視準備ステップが完了すると、次は、電力設備監視装置２０Ｈで電力設備運転・動作状態取得ステップがなされる。電力設備運転・動作状態取得ステップは、演算処理手段２４が入／切状態判別手段１１７を動作させて、入／切状態判別手段１１７で可動盤１２３の入／切の位置を検出する入／切状態検出ステップと、入／切状態検出手段１１６Ｂを通電する電流の有無を入／切状態判別手段１１７で検出し、入／切状態判別信号（デジタル信号）を出力する入／切状態判別ステップとを備える。
【０２５０】
電力設備運転・動作状態取得ステップでは、まず、入／切状態検出ステップがなされる。入／切状態検出ステップは、監視対象２１の運転・動作状態（入／切）と連動して可動する入／切状態表示部１２０の可動盤１２３の位置（入／切）を電力設備監視装置２０Ｈが具備する入／切状態検出手段１１６Ｂで監視対象２１の入／切状態を検出するステップである。
【０２５１】
可動盤１２３の入／切の位置の検出は、入／切状態検出手段１１６Ｂが備える磁気発生部１３２の位置を磁気−電気変換部１３３で検出することでなされる。磁気−電気変換部１３３は、磁気発生部１３２の発する磁気を磁気−電気変換して、例えば、電圧信号、電流信号等の電気信号として出力する性質を有する。
【０２５２】
磁気−電気変換部１３３で出力される電気信号のレベルは、検出する磁気の強さによって変化するので、出力される電気信号から、例えば、電圧値および電圧値の変化を測定することで、可動盤１２３の入／切の位置の検出が可能となる。尚、磁気−電気変換部１３３では、変換され出力される電気信号から電圧値および電圧値の変化を測定することで、可動盤１２３の入／切の位置を検出しているが、抵抗素子等を介して電流値および電流の変化を測定しても良い。
【０２５３】
また、磁気発生部１３２の取付個数が複数個の場合は、磁気−電気変換部１３３で変換された電気信号から測定した電圧値または電圧値の変化のうち一方を検出すれば、可動盤１２３の入／切の位置の検出が可能となる。もちろん、電気信号から電流値または電流値の変化を測定した場合についても同様である。
【０２５４】
入／切状態検出ステップが完了すると次に、入／切状態判別ステップがなされる。入／切状態判別ステップでは、入／切状態検出手段１１６Ｂで検出した可動盤１２３の入／切の位置が入／切状態判別手段１１７で判別される。入／切状態判別手段１１７は、磁気−電気変換部１３３で変換された電圧に対しあるしきい値よりも上か下かを判別し、可動盤１２３の入／切の位置を判別する。
【０２５５】
入／切状態判別手段１１７は、可動盤１２３の入／切の位置を判別結果に応じて、入／切状態判別信号（デジタル信号）が生成される。入／切状態判別手段１１７で可動盤１２３の入／切状態を判別後は、生成された入／切状態判別信号が入／切状態判別手段１１７から出力される。
【０２５６】
電力設備運転・動作状態取得ステップが完了すると、次に、電力設備運転・動作状態表示ステップがなされる。電力設備運転・動作状態表示ステップでは、まず、入／切状態判別手段１１７が出力した判別結果を入／切状態判別信号（デジタル信号）が演算処理手段２４に入力される。演算処理手段２４は、可動盤１２３の入／切状態の判別結果を監視対象２１の運転・動作状態（入／切）とみなして、演算処理手段２４が備える表示手段３７に表示する。
【０２５７】
尚、電力設備運転・動作状態取得ステップを開始するタイミングは、監視プログラム３８によって予め設定したスケジュール（例えば、所定間隔）に応じて制御しても良いし、監視者が入力手段３６から手動で入力操作してその都度行っても良い。
【０２５８】
また、監視プログラム３８によって電力設備運転・動作状態取得ステップを実行する場合において、予め設定するスケジュールは、監視者の都合に応じて任意に設定可能である。例えば、所定間隔毎等の間欠的ではなく連続的に設定しても良いし、所定間隔毎等の周期的ではなく、非周期的に設定しても良い。
【０２５９】
本実施形態に係る電力設備監視装置２０Ｈおよびその監視方法によれば、まず、監視対象２１の運転・動作状態の切替と連動して可動する入／切状態表示部１２０の可動盤１２３の表面上に入／切状態検出手段１１６Ｂが備える磁気発生部１３２を、切替操作手段１１４の本体１２２の表面上に入／切状態検出手段１１６Ｂが備える磁気−電気変換部１３３を取り付けて固定する。
【０２６０】
次に、入／切状態検出手段１１６Ｂに備えられる磁気−電気変換部１３３が、可動盤１２３の表面上に取り付けられた磁気発生部１３２から発する磁気を電気に変換することで生じる電気信号を電力設備監視装置２０Ｈに入力する。そして、入力された電気信号から電力設備監視装置２０Ｈが可動盤１２３の入／切の位置情報を判別し、判別した可動盤１２３の入／切の位置情報を監視対象２１の運転・動作状態（入／切）とみなして演算処理して表示することで、監視対象２１の運転・動作状態（入／切）の遠隔監視が可能となる。
【０２６１】
従って、監視対象２１となる電気設備を改造する工事または新規電力設備に取り替えに伴う設備撤去および新設工事が不要となり、電力設備監視装置２０Ｈおよびその監視方法を導入する際の費用を大幅に低減できる。
【０２６２】
また、入／切状態検出手段１１６Ｂを取り付ける作業は、監視対象２１となる電力設備を停電することなく電力設備監視装置２０Ｈを設置することができる。さらに、高圧工事が不要となることから設置工事を行う際の作業員の安全性を従来よりもさらに向上させることができる。
【０２６３】
さらにまた、本実施形態に係る電力設備監視装置２０Ｈおよびその監視方法によれば、導入する際の費用が大幅に低減されることから、電力設備監視の自動化、省力化のためにＩＴ化を促進する費用的余裕が生まれ、ＩＴ化促進の効果が派生的に期待できる。
【０２６４】
尚、磁気−電気変換部１３３の取付位置は、可動盤１２３の半径方向に対しては切替操作手段１１４の本体１２２の表面上であり、かつ、可動盤１２３の弧の外径側近傍であり、可動盤１２３の弧に沿う方向（周方向）に対しては、磁気発生部１３２と略同じであると説明したが、磁気−電気変換部１３３の取付位置は一例である。つまり、磁気−電気変換部１３３の取付位置は、説明した取付位置に限定されない。
【０２６５】
図２０および図２１は、図１９に示される磁気−電気変換部１３３の取付位置とは異なる位置に磁気−電気変換部１３３を取り付けた場合の一例を説明する概略図である。
【０２６６】
図２０および図２１において、図２０（Ａ）および図２１（Ａ）は磁気−電気変換部１３３を取り付ける入／切状態表示部１２０の正面図、図２０（Ｂ）は図２０（Ａ）におけるＩＩ−ＩＩ線に沿う方向の側面図、図２１（Ｂ）は図２１（Ａ）におけるＩＩＩ−ＩＩＩ線に沿う方向の側面図である。
【０２６７】
図１９に示される磁気−電気変換部１３３の取付位置以外の磁気−電気変換部１３３の取付位置としては、例えば、図２０（Ａ）および図２０（Ｂ）に示されるように、可動盤１２３を挟み込むようにして可動盤１２３の表面上に取り付け固定された磁気発生部１３２と磁気−電気変換部１３３とを対向させて切替操作手段１１４の本体１２２の表面上に取り付けても良い。
【０２６８】
また、図２１（Ａ）および図２１（Ｂ）に示されるように、切替操作手段１１４の本体１２２の表面上に可動盤１２３の弧に沿うＬ字状アングル１３５を可動盤１２３の外径側、かつ、本体１２２の表面上に設けて、Ｌ字状アングル１３５と本体１２２との間を可動盤１２３の外周部が配置され可動し得るように構成し、Ｌ字状アングル１３５の表面上に磁気発生部１３２と対向させて配置しても良い。
【０２６９】
［第１０の実施形態］
図２２に本発明の第１０の実施形態に係る電力設備監視装置２０Ｉおよびその監視方法を適用した一例の電気的な接続状態を示した説明図を示す。
【０２７０】
図２２に示される電力設備監視装置２０Ｉの構成は、図１に示される電力設備監視装置２０と同様に電圧測定手段２２と、Ａ／Ｄ変換手段２３と、演算処理手段２４とを具備するが、監視対象２１の代わりに監視対象２１Ａを監視する点で図１に示される電力設備監視装置２０とは異なる点以外は基本的に異ならない。従って、図１に示される電力設備監視装置２０と基本的に異ならない箇所については同一の符号を付して説明を省略する。
【０２７１】
図２２に示される電力設備監視装置２０Ｉは、電力設備監視装置２０Ｉで監視を行う電力設備（以下、監視対象とする）２１Ａが備える３つの電力設備、すなわち、第１の断路器４１、第２の断路器４２および遮断器４３の後段の位置で電圧測定を行う電圧測定手段２２と、Ａ／Ｄ変換手段２３と、演算処理手段２４とを具備する。そして、電圧測定手段２２は、コネクタ３０を用いて監視対象２１Ａと電気的に接続される。
【０２７２】
電力設備監視装置２０Ｉで監視を行う監視対象２１Ａは、単一の電源１３７と、入り切りを行う開閉機器としての第１の断路器４１、第２の断路器４２および遮断器４３と、電力負荷設備１３８と、計器用変成器としての計器用変圧器（Ｖｏｌｔａｇｅ  Ｔｒａｎｓｆｏｒｍｅｒ：ＶＴ）１４０とを備える。
【０２７３】
電源１３７と電力負荷設備１３８との間においては、電源１３７側から第１の断路器４１と、遮断器４３と、第２の断路器４２とが電気的に直列接続され、第１の断路器４１と遮断器４３との間、遮断器４３と第２の断路器４２との間および第２の断路器４２と電力負荷設備１３８との間にそれぞれ計器用変圧器１４０が設けられる。
【０２７４】
監視対象２１Ａは、第１の断路器４１、遮断器４３および第２の断路器４２のいずれかが引出し状態（切）となると、引出し状態（切）となった断路器または遮断器の電力負荷設備１３８側に電気が供給されない状態となるような電力設備である。すなわち、監視対象２１Ａは、遮断器、断路器等の開閉機器を備え、この開閉機器の入り切り状態によってのみで、監視対象２１Ａが備える各々の開閉機器以降の電力供給有無が決定できる電力設備である。
【０２７５】
監視対象２１Ａの様な電力設備では、第１の断路器４１および遮断器４３間における線間電圧と、遮断器４３および第２の断路器４２間の線間電圧と、第２の断路器４２および電力負荷設備１３８間の線間電圧とを調べることで、第１の断路器４１、遮断器４３および第２の断路器４２の投入／引出し状態（入／切）を知ることができる。従って、電力設備監視装置２０Ｉでは、信頼性を確保しながら、電圧を測定する箇所を３箇所とすることができ、電力設備監視装置２０の場合の６箇所と比較して半分とすることができる。
【０２７６】
また、監視対象２１Ａと電圧測定手段２２との電気的な接続は、他のコネクタ３０が備える取付手段８２を計器用変圧器１４０の２次側端子（図示せず）に取り付けることで行う。電圧測定手段２２は、計器用変圧器１４０で測定可能な電圧まで変圧した変圧後の電圧を取得して測定することが可能となる。
【０２７７】
尚、図２２に示される電力設備監視装置２０Ｉは、電圧測定手段２２を１つ具備しているが、測定チャンネル数が３チャンネル未満の場合は、測定可能な測定チャンネル数を確保するため、電圧測定手段２２を２つまたは３つ具備する形態を採っても良い。
【０２７８】
電力設備監視装置２０Ｉでなされる電力設備（監視対象）２１Ａの監視方法について説明する。
【０２７９】
まず、図２２に示される監視対象２１Ａ、すなわち、第１の断路器４１、第２の断路器４２および遮断器４３を備える電力設備を遠隔で監視する準備作業として、電力設備監視準備ステップを行う。
【０２８０】
電力設備監視準備ステップは、図２２に示される監視対象２１Ａに備えられる第１の断路器４１、第２の断路器４２および遮断器４３において、第１の断路器４１および遮断器４３の間と、遮断器４３および第２の断路器４２間と、第２の断路器４２および電力負荷設備１３８間とにコネクタ３０を取り付けて、電圧測定手段２２と電気的に接続するステップである。
【０２８１】
電力設備監視準備ステップが完了したら次は、コネクタ３０を接続した箇所において電圧測定手段２２で電圧を測定し、電圧の有無を検出する電力設備運転・動作状態取得ステップとしての電圧測定ステップを行う。電圧測定ステップは、まず、電圧測定手段２２が接続される２点間の電圧を測定して、入／切状態判別基本情報を取得する。次に、入／切状態判別基本情報として取得した電圧をアナログ電圧信号としてＡ／Ｄ変換手段２３へ伝送する。
【０２８２】
尚、電圧測定ステップは、監視プログラム３８によって予め設定したスケジュール（例えば、所定間隔）に応じて電圧を測定して取得する用にしても良いし、監視者が手動で入力操作してその都度行っても良い。また、電圧を測定しアナログ電圧信号をＡ／Ｄ変換手段２３へ伝送するタイミングは、監視者が欲しいタイミングでアナログ電圧信号を取得できれば、どのようなタイミングでも良い。
【０２８３】
電圧測定ステップに続いては、伝送された入／切状態判別基本情報としての電圧信号をＡ／Ｄ変換手段２３でＡ／Ｄ変換したデジタル電圧信号に基づいて演算処理し、監視対象２１Ａの運転・動作状態（入／切）を表示手段３７に表示する入／切表示ステップを行う。
【０２８４】
入／切表示ステップは、電圧測定手段２２で取得されＡ／Ｄ変換手段２３に伝送されたアナログ電圧信号をＡ／Ｄ変換手段２３でＡ／Ｄ変換するＡ／Ｄ変換処理ステップと、演算処理手段２４に入力されるデジタル電圧信号に基づいてプロセッサ３３が演算処理して監視対象２１Ａの運転・動作状態（入／切）を表示手段３７に表示する電力設備運転・動作状態表示ステップとを備える。
【０２８５】
入／切表示ステップでは、まず、Ａ／Ｄ変換手段２３でＡ／Ｄ変換処理ステップが行われ、Ａ／Ｄ変換手段２３に入力されたアナログ電圧信号をＡ／Ｄ変換し、出力する。次に、演算処理手段２４で電力設備運転・動作状態表示ステップが行われ、プロセッサ３３が監視プログラム３８を実行して、演算処理手段２４に入力されるＡ／Ｄ変換後のデジタル電圧信号を演算処理し、表示手段３７に監視対象２１の運転・動作状態（入／切）を表示する。
【０２８６】
本実施形態に係る電力設備監視装置２０Ｉおよびその監視方法によれば、監視対象２１Ａと電力設備監視装置２０Ｉとを電気的に接続する電力設備監視準備作業としての電力設備監視準備作業ステップを行い、電圧測定手段２２で検出した電圧を監視対象２１Ａが備える第１の断路器４１、第２の断路器４２および遮断器４３の運転・動作状態（入／切）を示す入／切状態判別基本情報として電力設備監視装置２０Ｉに入力し演算処理することで、監視対象２１Ａの運転・動作状態（入／切）の遠隔監視が可能となる。
【０２８７】
従って、監視対象２１Ａを改造する工事または新規電力設備に取り替えに伴う設備撤去および新設工事が不要となり、電力設備監視装置２０Ｉおよびその監視方法を導入する際の費用を大幅に低減できる。
【０２８８】
また、監視対象２１Ａが備える計器用変圧器１４０にコネクタ３０を取り付ける作業は、監視対象２１Ａを停電することなく行うことができる。さらに、高圧工事が不要となることから設置工事を行う際の作業員の安全性を従来よりもさらに向上させることができる。
【０２８９】
さらにまた、本実施形態に係る電力設備監視装置２０Ｉおよびその監視方法によれば、導入する際の費用が大幅に低減されることから、電力設備監視の自動化、省力化のためにＩＴ化を促進する費用的余裕が生まれ、ＩＴ化促進の効果が派生的に期待できる。
【０２９０】
以上、説明したように電力設備監視装置２０およびその監視方法によれば、監視対象２１の運転・動作状態の切替と連動して動作する接点部２７と表示灯２８とを備える表示灯回路２９にコネクタ３０を介して電力設備監視装置２０と電気的に接続する作業を行い、コネクタ３０を介して取得した電圧を監視対象２１の運転・動作状態（入／切）を示す信号として電力設備監視装置２０に入力し演算処理することで、監視対象２１の運転・動作状態（入／切）の遠隔監視が可能となる。
【０２９１】
また、電力設備監視装置２０Ａおよびその監視方法によれば、監視対象２１の運転・動作状態の切替と連動して動作する接点部２７と表示灯２８とを備える表示灯回路２９に計器用変流器９２を取り付け、取り付けた計器用変流器９２で検出した電流を監視対象２１の運転・動作状態（入／切）を示す入／切状態判別基本情報として電力設備監視装置２０Ａに入力し演算処理することで、監視対象２１の運転・動作状態（入／切）の遠隔監視が可能となる。
【０２９２】
さらに、電力設備監視装置２０Ｂおよびその監視方法によれば、監視対象２１の運転・動作状態の切替と連動して動作する接点部２７と表示灯２８とを備える表示灯回路２９の各表示灯５９，６０，６１の点灯面に光−電流変換手段９６を取り付け、取り付けた光−電流変換手段９６からの電流を監視対象２１の運転・動作状態（入／切）を示す信号として電力設備監視装置２０Ｂに入力して演算処理することで、監視対象２１の運転・動作状態（入／切）の遠隔監視が可能となる。
【０２９３】
さらにまた、電力設備監視装置２０Ｃおよびその監視方法によれば、監視対象２１の運転・動作状態の切替と連動して動作する接点部２７と表示灯２８とを備える表示灯回路２９の各表示灯５９，６０，６１の点灯面に熱−電流変換手段９７を取り付け、取り付けた熱−電流変換手段９７からの電流を監視対象２１の運転・動作状態を示す信号（入／切）として電力設備監視装置２０Ｃに入力して演算処理することで、監視対象２１の運転・動作状態（入／切）の遠隔監視が可能となる。
【０２９４】
一方、電力設備監視装置２０Ｄおよびその監視方法によれば、まず、監視対象２１の運転・動作状態の切替と連動して動作する接点部２７と表示灯２８とを備える表示灯回路２９と電力設備監視装置２０Ｄが具備する抵抗値算出情報取得手段９８とを電気的に接続して、電力設備監視準備ステップ後、抵抗値算出情報取得手段９８でアナログ電圧信号およびアナログ電流信号を監視対象２１の運転・動作状態（入／切）を示す信号として出力し、Ａ／Ｄ変換手段２３および演算処理手段２４に入力して演算処理することで、監視対象２１の運転・動作状態（入／切）の遠隔監視が可能となる。
【０２９５】
また、電力設備監視装置２０Ｅおよびその監視方法によれば、監視対象２１の運転・動作状態の切替と連動して状態表示が切り替わる入／切状態表示器１００の窓１０６の表面にコネクタ３０Ａの光−電流変換手段９６と発光制御手段１０１の発光部１０３とを取り付け、取り付けた発光部１０３を発光させて、入／切状態表示器１００の内部にある状態表示体１０７で反射した光を光−電流変換手段９６で受光する。そして、光−電流変換手段９６で光−電流変換して生じた電流を監視対象２１の運転・動作状態（入／切）を示す入／切状態判別基本情報として電力設備監視装置２０Ｅに入力して演算処理することで、監視対象２１の運転・動作状態（入／切）の遠隔監視が可能となる。
【０２９６】
さらに、電力設備監視装置２０Ｆおよびその監視方法によれば、監視対象２１の運転・動作状態の切替と連動して可動する入／切状態表示部１２０の可動盤１２３と接離して変位する入／切状態検出手段１１６を切替操作手段１１４の本体１２２の表面の突起部１２７に取り付けて固定し、入／切状態検出手段１１６が備える探知部１２９が可動盤１２３と接しているか否かで可動盤１２３の入／切の位置を探知して、探知した可動盤１２３の入／切の位置情報を監視対象２１の運転・動作状態（入／切）を示す信号として電力設備監視装置２０Ｆに入力し演算処理して表示することで、監視対象２１の運転・動作状態（入／切）の遠隔監視が可能となる。
【０２９７】
さらにまた、電力設備監視装置２０Ｇおよびその監視方法によれば、まず、監視対象２１の運転・動作状態の切替と連動して可動する入／切状態表示部１２０の可動盤１２３の表面上に入／切状態検出手段１１６Ａ（流体リレー）を取り付けて固定し、入／切状態検出手段１１６Ａが、可動盤１２３の入／切の位置を検知して、検知した結果を電力設備監視装置２０Ｇに入力する。そして、電力設備監視装置２０Ｇが可動盤１２３の入／切の位置情報を監視対象２１の運転・動作状態（入／切）として判別し演算処理して表示することで、監視対象２１の運転・動作状態（入／切）の遠隔監視が可能となる。
【０２９８】
他方、電力設備監視装置２０Ｈおよびその監視方法によれば、まず、監視対象２１の運転・動作状態の切替と連動して可動する入／切状態表示部１２０の可動盤１２３の表面上に入／切状態検出手段１１６Ｂが備える磁気発生部１３２を、切替操作手段１１４の本体１２２の表面上に入／切状態検出手段１１６Ｂが備える磁気−電気変換部１３３を取り付けて固定する。
【０２９９】
次に、入／切状態検出手段１１６Ｂに備えられる磁気−電気変換部１３３が、可動盤１２３の表面上に取り付けられた磁気発生部１３２から発する磁気を電気に変換することで生じる電気信号を電力設備監視装置２０Ｈに入力する。そして、入力された電圧から電力設備監視装置２０Ｈが可動盤１２３の入／切の位置情報を判別し、判別した可動盤１２３の入／切の位置情報を監視対象２１の運転・動作状態（入／切）とみなして演算処理して表示することで、監視対象２１の運転・動作状態（入／切）の遠隔監視が可能となる。
【０３００】
また、電力設備監視装置２０Ｉおよびその監視方法によれば、監視対象２１Ａと電力設備監視装置２０Ｉとを電気的に接続する電力設備監視準備作業としての電力設備監視準備作業ステップを行い、電圧測定手段２２で取得した電圧を監視対象２１Ａが備える第１の断路器４１、第２の断路器４２および遮断器４３の運転・動作状態（入／切）を示す入／切状態判別基本情報として電力設備監視装置２０Ｉに入力し演算処理することで、監視対象２１Ａの運転・動作状態（入／切）の遠隔監視が可能となる。
【０３０１】
従って、監視対象２１，２１Ａを改造する工事または新規電力設備に取り替えに伴う設備撤去および新設工事が不要となり、電力設備監視装置２０〜２０Ｉおよびその監視方法を導入する際の費用を大幅に低減できる。
【０３０２】
また、監視対象２１に電圧測定手段２２、電流測定手段８９、抵抗値算出情報取得手段９８、電流測定手段８９と発光制御手段１０１および入／切状態検出手段１１６，１１６Ａ，１１６Ｂを取り付ける作業は、監視対象２１を停電することなく実施でき、高圧工事が不要となることから設置工事を行う際の作業員の安全性を従来よりもさらに向上させることができる。
【０３０３】
さらに、監視対象２１Ａについても監視対象２１と同様で監視対象２１Ａに備えられる断路器、遮断器等の入／切を行う電力設備の後段の位置に電圧測定手段２２を測定可能に取り付ける作業についても、監視対象２１Ａを停電することなく実施でき、高圧工事が不要となることから設置工事を行う際の作業員の安全性を従来よりもさらに向上させることができる。
【０３０４】
さらにまた、電力設備監視装置２０〜２０Ｉおよびその監視方法を導入する際の費用が大幅に低減されることから、電力設備監視の自動化、省力化のためにＩＴ化を促進する費用的余裕が生まれ、ＩＴ化促進の効果が派生的に期待できる。
【０３０５】
尚、上述した電力設備監視装置２０〜２０Ｉおよびその監視方法では、監視対象２１，２１Ａを、例えば、断路器および遮断器等の電力設備としたが、監視対象は電力設備に限定されない。機器の運転・動作状態等のように入／切の２つの状態を有する機器であり、現在の運転・動作状態（入／切）を表示可能に構成された全ての機器に対して適用が可能である。
【０３０６】
また、電圧測定手段２２の測定チャンネル数は複数個としたが、測定チャンネル数は１個でも構わない。この場合は、電圧測定手段２２を複数個具備する構成とすれば良い。
【０３０７】
さらに、アナログ電圧信号等のアナログ信号をＡ／Ｄ変換手段２３へ伝送するタイミングは、監視者が欲しい時点で取得可能であればどのようなタイミングでも構わない。すなわち、伝送するタイミングは、連続的でも間欠的でも良く、間欠的な場合においては、周期的か非周期的かを問わない。
【０３０８】
【発明の効果】
本発明に係る電力設備監視装置によれば、監視対象の運転・動作状態の切替と連動して動作する接点部を備える表示灯回路または監視対象の運転・動作状態の切替と連動する入／切状態表示部に取り付け、監視対象の運転・動作状態（入／切）を示す信号を取得して演算処理することで、監視対象の運転・動作状態（入／切）の遠隔監視が可能となる。
【０３０９】
また、電力設備監視装置と監視対象との接続は、簡便に実施でき、監視対象となる電気設備を改造する工事または新規電力設備に取り替えに伴う設備撤去および新設工事を必要としないので、電力設備監視装置およびその監視方法を導入する際の費用を大幅に低減できる。
【０３１０】
さらに、監視対象となる電力設備を停電させることなく電力設備監視装置を監視対象と接続することができるため、高圧工事が不要となり、設置工事を行う際の作業員の安全性を従来よりもさらに向上させることができる。
【図面の簡単な説明】
【図１】本発明の第１実施形態に係る電力設備監視装置の一例を監視対象に適用する際における接続状態の概略を示した概略図。
【図２】監視対象および接点部の一例であり、監視対象と接点部との関係を説明する説明図。
【図３】本発明の第１実施形態に係る電力設備監視装置の一例を適用した監視対象の運転・動作状態（入／切）を表示する監視盤の概略図。
【図４】図１に示される接点部と表示灯とを電気的に接続して構成される表示灯回路の回路図。
【図５】図３に図示される監視盤のＩ−Ｉ線に沿う側面図。
【図６】本発明の第２実施形態に係る電力設備監視装置の一例を監視対象に適用する際における接続状態の概略を示した概略図。
【図７】本発明の第２の実施形態に係る電力設備監視装置およびその監視方法を適用した場合における監視盤の側面図。
【図８】本発明の第３の実施形態に係る電力設備監視装置の一例を監視対象に適用する際における接続状態の概略を示した概略図。
【図９】本発明の第４の実施形態に係る電力設備監視装置の一例を監視対象に適用する際における接続状態の概略を示した概略図。
【図１０】本発明の第５の実施形態に係る電力設備監視装置の一例を監視対象に適用する際における接続状態の概略を示した概略図。
【図１１】本発明の第５の実施形態に係る電力設備監視装置およびその監視方法を適用した場合における監視盤の側面図。
【図１２】本発明の第６の実施形態に係る電力設備監視装置の一例を監視対象に適用する際における接続状態の概略を示した概略図。
【図１３】監視盤の入／切状態表示器の窓の内部に設けられた状態表示体の一例を説明する斜視図。
【図１４】本発明の第７の実施形態に係る電力設備監視装置の一例を監視対象に適用する際における接続状態の概略を示した概略図。
【図１５】本発明の第７の実施形態に係る電力設備監視装置により監視する監視対象の運転・動作状態（入／切）を切り替える切替操作手段に備えられる入／切状態表示部およびその近傍の概略を示した概略図。
【図１６】本発明の第８の実施形態に係る電力設備監視装置の一例を監視対象に適用する際における接続状態の概略を示した概略図。
【図１７】本発明の第８の実施形態に係る電力設備監視装置が具備する入／切状態検出手段を切替操作手段に取り付けた状態の一例を説明する概略図であり、（Ａ）は監視対象が「切」の状態を示し、（Ｂ）は監視対象が「入」の状態を示した概略図。
【図１８】本発明の第９の実施形態に係る電力設備監視装置の一例を監視対象に適用する際における接続状態の概略を示した概略図。
【図１９】本発明の第９の実施形態に係る電力設備監視装置が具備する入／切状態検出手段を切替操作手段に取り付けた状態の一例を説明する概略図。
【図２０】図１９に示される入／切状態検出手段の取り付け状態とは異なる一例を説明する概略図であり、（Ａ）は磁気−電気変換部を取り付けた入／切状態表示部の正面図、（Ｂ）は（Ａ）におけるＩＩ−ＩＩ線に沿う方向の側面図。
【図２１】図１９および図２０に示される入／切状態検出手段の取り付け状態とは異なる一例を説明する概略図であり、（Ａ）は磁気−電気変換部を取り付けた入／切状態表示部の正面図、（Ｂ）は（Ａ）におけるＩＩＩ−ＩＩＩ線に沿う方向の側面図。
【図２２】本発明の第１０の実施形態に係る電力設備監視装置の一例を監視対象に適用する際における接続状態の概略を示した概略図。
【図２３】従来の電力設備監視装置の一例として、開閉機器の開閉状態を監視する電力設備監視装置のブロック構成図。
【符号の説明】
２０  電力設備監視装置
２１，２１Ａ  監視対象
２２  電圧測定手段（入／切状態判別情報取得手段）
２３  Ａ／Ｄ変換手段
２４  演算処理手段
２７  接点部
２８  表示灯（表示部）
２９  表示灯回路
３０，３０Ａ，３０Ｂ，３０Ｃ  コネクタ
３１  Ｉ／Ｆ部（インターフェース）
３２  記録手段
３３  プロセッサ
３５  メモリ
３６  入力手段
３７  表示手段
３８  監視プログラム
４１  第１の断路器（Ｄｉｓｃｏｎｎｅｃｔｉｎｇ  Ｓｗｉｔｃｈ  １：ＤＳ１）
４２  第２の断路器（Ｄｉｓｃｏｎｎｅｃｔｉｎｇ  Ｓｗｉｔｃｈ  ２：ＤＳ２）
４３  遮断器（Ｃｉｒｃｕｉｔ  Ｂｒｅａｋｅｒ：ＣＢ）
４５  ＤＳ１接点
４６  ＤＳ２接点
４７  ＣＢ接点
４９  ＤＳ１メイク接点
５０  ＤＳ１ブレイク接点
５１  ＤＳ２メイク接点
５２  ＤＳ２ブレイク接点
５３  ＣＢメイク接点
５４  ＣＢブレイク接点
５７  電力系統用監視盤
５９  ＤＳ１表示灯
６０  ＤＳ２表示灯
６１  ＣＢ表示灯
６３  ＤＳ１緑灯
６４  ＤＳ１赤灯
６５  ＤＳ２緑灯
６６  ＤＳ２赤灯
６７  ＣＢ緑灯
６８  ＣＢ赤灯
７０  ＤＳ１系統
７１  ＤＳ２系統
７２  ＣＢ系統
７３  正極側電源ライン
７４  負極側電源ライン
７５  表示灯ライン
７５Ｇ  表示灯ライン（緑灯側）
７５Ｒ  表示灯ライン（赤灯側）
７７  ＤＳ１表示灯端子部
７７Ｒ  ＤＳ１赤灯端子部
７８  ＤＳ２表示灯端子部
７８Ｒ  ＤＳ２赤灯端子部
７９  ＣＢ表示灯端子部
７９Ｒ  ＣＢ赤灯端子部
８２  取付手段
８３  コネクト導体
８５  作用部
８６  把持部
８９  電流測定手段（入／切状態判別情報取得手段）
９２  電流変流器（Ｃｕｒｒｅｎｔ  Ｔｒａｎｓｆｏｒｍｅｒ：ＣＴ）
９６  光−電流変換手段（入／切状態判別情報取得手段）
９７  熱−電流変換手段（入／切状態判別情報取得手段）
９８  抵抗値算出情報取得手段（入／切状態判別情報取得手段）
１００  入／切状態表示器
１０１  発光制御手段
１０３  発光部
１０４  発光制御部
１０６  窓
１０７  状態表示体
１０８  回転軸
１０９  境界線
１１１  赤色エリア
１１２  緑色エリア
１１４  切替操作手段
１１６，１１６Ａ，１１６Ｂ  入／切状態検出手段
１１７  入／切状態判別手段
１１９  操作器
１２０  入／切状態表示部
１２２  （切替操作手段の）本体
１２３  可動盤
１２４  矢印
１２５  中心点
１２７  突起部
１２９  探知部
１３０  固定台座
１３１  内部流体（導電性流体）
１３２  磁気発生部
１３３  磁気−電気変換部
１３５  Ｌ字アングル
１３７  電源
１３８  電力負荷設備
１４０  計器用変圧器（Ｖｏｌｔａｇｅ  Ｔｒａｎｓｆｏｒｍｅｒ：ＶＴ）
【図１】
2004229356.tif 000003
【図２】
2004229356.tif 000004
【図３】
2004229356.tif 000005
【図４】
2004229356.tif 000006
【図５】
2004229356.tif 000007
【図６】
2004229356.tif 000008
【図７】
2004229356.tif 000009
【図８】
2004229356.tif 000010
【図９】
2004229356.tif 000011
【図１０】
2004229356.tif 000012
【図１１】
2004229356.tif 000013
【図１２】
2004229356.tif 000014
【図１３】
2004229356.tif 000015
【図１４】
2004229356.tif 000016
【図１５】
2004229356.tif 000017
【図１６】
2004229356.tif 000018
【図１７】
2004229356.tif 000019
【図１８】
2004229356.tif 000020
【図１９】
2004229356.tif 000021
【図２０】
2004229356.tif 000022
【図２１】
2004229356.tif 000023
【図２２】
2004229356.tif 000024
【図２３】
2004229356.tif 000025